(57)【要約】【課題】電力供給停止についての不確実な情報のみが提供される場合に、当該情報に基づいて、ユーザーの不都合をより削減するように、画像処理装置を制御する。【解決手段】画像処理システム４０１は、原稿読取装置と画像形成装置を備え、そのそれぞれには、画像処理のための用紙（原稿用紙または記録用紙）の搬送を含む駆動を実現するための駆動手段が備えられる。また、画像処理システム４０１は、計画停電情報等の停電予測情報を取得する。そして、原稿読取装置と画像形成装置のそれぞれの駆動手段は、停電予測情報で停電が発生すると予測される時間帯には残留紙の発生を抑制するモード（残留紙低減モード）に従って制御され、それ以外の時間帯には印字生産性を重視するモード（生産性重視モード）に従って制御される。【選択図】図１
2013236153.tif 000002
【特許請求の範囲】
【請求項１】
画像処理のための用紙の搬送を含む駆動を実現するための駆動手段を備えた画像処理装置であって、
前記駆動手段を、或る一定の印字生産性を確保するための第１のモードと、前記画像処理装置内に残留する用紙の枚数を少なくするための第２のモードとで制御するための制御手段と、
前記画像処理装置の電源についての停電予測情報を取得するための取得手段とを備え、
前記制御手段は、前記駆動手段を、前記停電予測情報で停電が発生すると予測される時間帯には前記第２のモードで制御し、それ以外の時間帯には前記第１のモードで制御する、画像処理装置。
【請求項２】
前記停電予測情報は、計画停電が開始される時間帯の情報であり、
前記制御手段は、少なくとも前記停電予測情報で特定される時間帯は、前記駆動手段を前記第２のモードで制御する、請求項１に記載の画像処理装置。
【請求項３】
前記駆動手段を利用して実行されるジョブを設定するための設定手段をさらに備え、
前記制御手段は、前記設定手段に設定されたジョブの終了までの処理時間を算出し、当該処理時間に基づいて当該ジョブの終了予定時刻を算出し、当該終了予定時刻が前記停電予測情報で特定される時間帯に含まれる場合には、当該ジョブの開始時に前記駆動手段を前記第２のモードに制御する、請求項１または請求項２に記載の画像処理装置。
【請求項４】
前記取得手段は、前記停電予測情報として、前記画像処理装置に電力を供給する電力供給源においての当該画像処理装置が属する電力供給管轄における電力使用率を取得し、
前記制御手段は、前記電力使用率が特定の値以上であれば前記駆動手段を前記第２のモードで制御する、請求項１〜請求項３のいずれかに記載の画像処理装置。
【請求項５】
前記制御手段は、
前記第１のモードでは、先行する用紙が前記画像処理装置内の特定の位置に達したことを条件として次の用紙の搬送を開始し、
前記第２のモードでは、先行する用紙が前記画像処理装置から排出されたことを条件として次の用紙の搬送を開始する、請求項１〜請求項４のいずれかに記載の画像処理装置。
【請求項６】
前記制御手段は、前記第１のモードより前記第２のモードにおいて用紙を速い速度で搬送させる、請求項１〜請求項５のいずれかに記載の画像処理装置。
【請求項７】
前記画像処理装置は、原稿読取装置によって実現され、
前記用紙は、原稿用紙によって実現され、
前記駆動手段は、前記原稿用紙の画像を読取るための原稿読取手段を含み、
前記制御手段は、
一日を昼間の時間帯と夜間の時間帯に分割し、
昼間の時間帯では、前記駆動手段を前記第１のモードで制御する、請求項１〜請求項６のいずれかに記載の画像処理装置。
【請求項８】
前記昼間の時間帯と前記夜間の時間帯に分割するための情報の入力を受け付けるための入力手段をさらに備える、請求項７に記載の画像処理装置。
【請求項９】
前記制御手段は、日の出時刻と日の入り時刻を取得し、これらの時刻に基づいて一日を前記昼間の時間帯と前記夜間の時間帯に分割する、請求項７に記載の画像処理装置。
【請求項１０】
前記制御手段は、前記画像処理装置が設置されている箇所の照明の点灯時刻と消灯時刻を取得し、前記点灯時刻から前記消灯時刻までを昼間の時間帯とし、前記消灯時刻から前記点灯時刻までを夜間の時間帯とする、請求項７に記載の画像処理装置。
【請求項１１】
前記制御手段は、
前記第１のモードでは、前記原稿用紙を、原稿の画像読取位置近傍であって当該画像読取位置よりも搬送経路上の上流側で一旦停止させた後、当該画像読取位置へと搬送し、
前記第２のモードでは、前記原稿用紙を、搬送経路上ではなく、当該原稿用紙が格納されている給紙部において一旦停止させた後搬送する、請求項７〜請求項１０のいずれかに記載の画像処理装置。
【請求項１２】
前記原稿読取手段は、前記原稿用紙を自動的に搬送するための自動搬送装置を含み、
前記制御手段は、前記第１のモードでは前記自動搬送装置の利用を許可し、前記第２のモードでは前記自動搬送装置の利用を禁止する、請求項７〜請求項１１のいずれかに記載の画像処理装置。
【請求項１３】
前記画像処理装置は、画像形成装置によって実現され、
前記用紙は、記録用紙によって実現され、
前記駆動手段は、前記記録用紙に画像を形成するための画像形成手段を含み、
前記制御手段は、
前記第１のモードでは、前記記録用紙を、原稿の前記画像形成手段による画像形成位置近傍であって当該画像形成位置よりも搬送経路上の上流側で一旦停止させた後、当該画像形成位置へと搬送し、
前記第２のモードでは、前記記録用紙を、搬送経路上ではなく、当該記録用紙が格納されている給紙部において一旦停止させた後搬送する、請求項７〜請求項１２のいずれかに記載の画像処理装置。
【請求項１４】
前記画像形成手段は、複数の種類のそれぞれの前記記録用紙を格納するための複数の給紙口を含み、
前記制御手段は、
前記記録用紙のサイズについての指定を受付け、
前記第１のモードでは、前記画像形成手段に、指定されたサイズの前記記録用紙を使用させ、
前記第２のモードでは、前記画像形成手段に、前記複数の給紙口のうち、前記記録用紙が排出されるまでの搬送経路が最短となる給紙口の前記記録用紙を使用させる、請求項１３に記載の画像処理装置。
【請求項１５】
前記画像形成手段は、画像形成後の前記記録用紙に対する後処理をするための後処理手段をさらに備え、
前記制御手段は、
前記第１のモードでは、前記画像形成手段に前記後処理手段の使用を許可し、
前記第２のモードでは、前記画像形成手段に前記後処理手段の使用を禁止する、請求項１３または請求項１４に記載の画像処理装置。
【請求項１６】
画像処理のための用紙の搬送を含む駆動を実現するための駆動手段を備えた画像処理装置のコンピューターが実行する当該画像処理装置の制御方法であって、
前記駆動手段を、或る一定の印字生産性を確保するための第１のモードと、前記画像処理装置内に残留する用紙の枚数を少なくするための第２のモードとで制御するステップと、
前記画像処理装置の電源についての停電予測情報を取得するステップとを備え、
前記駆動手段を制御するステップは、前記停電予測情報で停電が発生すると予測される時間帯には前記第２のモードで制御し、それ以外の時間帯には前記第１のモードで制御する、画像処理装置の制御方法。
【請求項１７】
画像処理のための用紙の搬送を含む駆動を実現するための駆動手段を備えた画像処理装置のコンピューターによって実行される当該画像処理装置の制御プログラムであって、
前記制御プログラムは、前記コンピューターに、
前記駆動手段を、或る一定の印字生産性を確保するための第１のモードと、前記画像処理装置内に残留する用紙の枚数を少なくするための第２のモードとで制御するステップと、
前記画像処理装置の電源についての停電予測情報を取得するステップとを実行させ、
前記駆動手段を制御するステップは、前記停電予測情報で停電が発生すると予測される時間帯には前記第２のモードで制御し、それ以外の時間帯には前記第１のモードで制御する、画像処理装置の制御プログラム。
【発明の詳細な説明】
【技術分野】
【０００１】
本発明は、画像処理装置、その制御方法、および、その制御プログラムに関し、特に、画像処理装置における画像処理のための用紙の搬送を含む駆動を実現するための駆動手段の制御態様に特徴を有する画像処理装置、その制御方法、および、その制御プログラムに関する。
【背景技術】
【０００２】
従来から、画像処理装置において、画像を形成される用紙や原稿用紙の給紙の態様を制御するための技術が種々開示されてきた。たとえば特許文献１（特開２００４−３２６２６２号公報）には、装置内で紙詰まりなどを起こす可能性が高い用紙を通紙する場合には、先行して給紙された用紙が排紙された後に、次の用紙の給紙を開始する技術が提案されている。また、装置内に残留している用紙の排出の煩雑さを軽減するための技術として、装置内でＪＡＭが発生した箇所よりも排出口に近い位置にある用紙を排出するための下流紙排出制御が知られている。
【０００３】
また特許文献２（特開平１１−２８４７８０号公報）には、装置における稼働時間または終了時刻の設定に関して、記述がなされている。当該装置では、当該設定に基づく装置の稼働についての残り時間と現在装置において登録されているジョブの処理時間とが比較され、そして、登録されているジョブのうち残り時間内に完了することが予測されるジョブが優先して実行される。
【先行技術文献】
【特許文献】
【０００４】
【特許文献１】特開２００４−３２６２６２号公報
【特許文献２】特開平１１−２８４７８０号公報
【発明の概要】
【発明が解決しようとする課題】
【０００５】
災害時や異常発生時には、装置への電力供給が一時的に停止する事態が想定される。
このような事態を想定した場合、特許文献１に記載の技術によれば、前後する用紙の給紙開始のタイミングを調整しただけでは、装置への電力供給が停止すれば、搬送中の用紙は装置内部に残留する。上記の下流紙排出制御は、装置への電力供給が前提であるため、停電中に適用することができない。したがって、装置のユーザーが用紙を取り除く処理をすることを必要とされ、煩雑であった。
【０００６】
また、特許文献２に記載された制御は、電力の供給のオン／オフの切替が予定された時刻に従って実施される場合には効果を奏するが、上記切替が予定された時刻からずれて実施された場合については考慮がなされていない。
【０００７】
本発明は係る実情に鑑み考え出されたものであり、その目的は、電力供給停止についての不確実な情報のみが提供される場合に、当該情報に基づいて、ユーザーの不都合をより削減するように、画像処理装置を制御することである。
【課題を解決するための手段】
【０００８】
本発明に従った画像処理装置は、画像処理のための用紙の搬送を含む駆動を実現するための駆動手段を備えた画像処理装置であって、駆動手段を、或る一定の印字生産性を確保するための第１のモードと、画像処理装置内に残留する用紙の枚数を少なくするための第２のモードとで制御するための制御手段と、画像処理装置の電源についての停電予測情報を取得するための取得手段とを備え、制御手段は、駆動手段を、停電予測情報で停電が発生すると予測される時間帯には第２のモードで制御し、それ以外の時間帯には第１のモードで制御する。
【０００９】
好ましくは、停電予測情報は、計画停電が開始される時間帯の情報であり、制御手段は、少なくとも停電予測情報で特定される時間帯は、駆動手段を第２のモードで制御する。
【００１０】
好ましくは、駆動手段を利用して実行されるジョブを設定するための設定手段をさらに備え、制御手段は、設定手段に設定されたジョブの終了までの処理時間を算出し、当該処理時間に基づいて当該ジョブの終了予定時刻を算出し、当該終了予定時刻が停電予測情報で特定される時間帯に含まれる場合には、当該ジョブの開始時に駆動手段を第２のモードに制御する。
【００１１】
好ましくは、取得手段は、停電予測情報として、画像処理装置に電力を供給する電力供給源においての当該画像処理装置が属する電力供給管轄における電力使用率を取得し、制御手段は、電力使用率が特定の値以上であれば駆動手段を第２のモードで制御する。
【００１２】
好ましくは、制御手段は、第１のモードでは、先行する用紙が画像処理装置内の特定の位置に達したことを条件として次の用紙の搬送を開始し、第２のモードでは、先行する用紙が画像処理装置から排出されたことを条件として次の用紙の搬送を開始する。
【００１３】
好ましくは、制御手段は、第１のモードより第２のモードにおいて用紙を速い速度で搬送させる。
【００１４】
好ましくは、画像処理装置は、原稿読取装置によって実現され、用紙は、原稿用紙によって実現され、駆動手段は、原稿用紙の画像を読取るための原稿読取手段を含み、制御手段は、一日を昼間の時間帯と夜間の時間帯に分割し、昼間の時間帯では、駆動手段を第１のモードで制御する。
【００１５】
好ましくは、昼間の時間帯と夜間の時間帯に分割するための情報の入力を受け付けるための入力手段をさらに備える。
【００１６】
好ましくは、制御手段は、日の出時刻と日の入り時刻を取得し、これらの時刻に基づいて一日を昼間の時間帯と夜間の時間帯に分割する。
【００１７】
好ましくは、制御手段は、画像処理装置が設置されている箇所の照明の点灯時刻と消灯時刻を取得し、点灯時刻から消灯時刻までを昼間の時間帯とし、消灯時刻から点灯時刻までを夜間の時間帯とする。
【００１８】
好ましくは、制御手段は、第１のモードでは、原稿用紙を、原稿の画像読取位置近傍であって当該画像読取位置よりも搬送経路上の上流側で一旦停止させた後、当該画像読取位置へと搬送し、第２のモードでは、原稿用紙を、搬送経路上ではなく、当該原稿用紙が格納されている給紙部において一旦停止させた後搬送する。
【００１９】
好ましくは、原稿読取手段は、原稿用紙を自動的に搬送するための自動搬送装置を含み、制御手段は、第１のモードでは自動搬送装置の利用を許可し、第２のモードでは自動搬送装置の利用を禁止する。
【００２０】
好ましくは、画像処理装置は、画像形成装置によって実現され、用紙は、記録用紙によって実現され、駆動手段は、記録用紙に画像を形成するための画像形成手段を含み、制御手段は、第１のモードでは、記録用紙を、原稿の画像形成手段による画像形成位置近傍であって当該画像形成位置よりも搬送経路上の上流側で一旦停止させた後、当該画像形成位置へと搬送し、第２のモードでは、記録用紙を、搬送経路上ではなく、当該記録用紙が格納されている給紙部において一旦停止させた後搬送する。
【００２１】
好ましくは、画像形成手段は、複数の種類のそれぞれの記録用紙を格納するための複数の給紙口を含み、制御手段は、記録用紙のサイズについての指定を受付け、第１のモードでは、画像形成手段に、指定されたサイズの記録用紙を使用させ、第２のモードでは、画像形成手段に、複数の給紙口のうち、記録用紙が排出されるまでの搬送経路が最短となる給紙口の記録用紙を使用させる。
【００２２】
好ましくは、画像形成手段は、画像形成後の記録用紙に対する後処理をするための後処理手段をさらに備え、制御手段は、第１のモードでは、画像形成手段に後処理手段の使用を許可し、第２のモードでは、画像形成手段に後処理手段の使用を禁止する。
【００２３】
本発明に従った画像処理装置の制御方法は、画像処理のための用紙の搬送を含む駆動を実現するための駆動手段を備えた画像処理装置のコンピューターが実行する当該画像処理装置の制御方法であって、駆動手段を、或る一定の印字生産性を確保するための第１のモードと、画像処理装置内に残留する用紙の枚数を少なくするための第２のモードとで制御するステップと、画像処理装置の電源についての停電予測情報を取得するステップとを備え、駆動手段を制御するステップは、停電予測情報で停電が発生すると予測される時間帯には第２のモードで制御し、それ以外の時間帯には第１のモードで制御する。
【００２４】
本発明に従った画像処理装置の制御プログラムは、画像処理のための用紙の搬送を含む駆動を実現するための駆動手段を備えた画像処理装置のコンピューターによって実行される当該画像処理装置の制御プログラムであって、制御プログラムは、コンピューターに、駆動手段を、或る一定の印字生産性を確保するための第１のモードと、画像処理装置内に残留する用紙の枚数を少なくするための第２のモードとで制御するステップと、画像処理装置の電源についての停電予測情報を取得するステップとを実行させ、駆動手段を制御するステップは、停電予測情報で停電が発生すると予測される時間帯には第２のモードで制御し、それ以外の時間帯には第１のモードで制御する。
【発明の効果】
【００２５】
本発明によれば、駆動手段は、停電予測情報で停電が発生すると予測される時間帯には画像処理装置内に残留する用紙の枚数を少なくするための第２のモードで制御され、それ以外の時間帯には或る一定の印字生産性を確保するための第１のモードで制御される。
【００２６】
これにより、画像処理装置において、印字生産性を確保しながら、停電の発生が予測される時間帯には装置内に残留することを極力回避できる。
【００２７】
したがって、停電の発生による駆動手段の動作停止によって装置内に残留した用紙を取り除く処理をしなければならないというユーザーの不都合を、極力削減することができる。
【図面の簡単な説明】
【００２８】
【図１】本発明の画像処理装置の一実施の形態である画像処理システムを含む、情報システムの概略構成を示す図である。
【図２】画像処理システムの構成を概略的に示す図である。
【図３】画像処理システムのブロック構成を示す図である。
【図４】画像処理システムのコントローラーの操作部の構成を示す図である。
【図５】日の入り、日の出時刻の入力の画面例を示す図である。
【図６】三枚の用紙からなる原稿の画像をコピー部数１部で印刷する処理における、画像処理システムの各要素の処理シーケンスの概要を示す図である。
【図７】コントローラーによって実行される、電源ＯＮからコピージョブが完了するまでの処理の流れを示すフローチャートである。
【図８】コントローラーが原稿読取装置に原稿読取指示を発行してから画像形成装置に印字命令を発行するまでに実行する処理のフローチャートである。
【図９】コントローラーが原稿読取装置に原稿読取指示を発行してから画像形成装置に印字命令を発行するまでに実行する処理のフローチャートである。
【図１０】図８の処理部分の変形例のフローチャートである。
【図１１】図７のＳ１０９００のサブルーチンのフローチャートである。
【図１２】画像形成装置についての、電源ＯＮからコピージョブが完了するまでの処理の流れを示すフローチャートである。
【図１３】図１２のＳ２０３００のサブルーチンのフローチャートである。
【図１４】原稿読取装置における、電源ＯＮからコピージョブが完了するまでの処理の流れを示すフローチャートである。
【図１５】図１４のＳ３０３００のサブルーチンのフローチャートである。
【図１６】画像形成装置における、「仕上げ処理切替」についての、印字処理前の制御モードの判定処理のフローチャートである。
【図１７】画像形成装置における、「給紙タイミング切替」、「ウエイト位置切替」、「搬送経路切替」、「搬送速度切替」についての、印字処理前の制御モードの判定処理のフローチャートである。
【図１８】画像形成装置における「給紙タイミング切替」「ウエイト位置切替」「搬送速度切替」「仕上げ処理切替」についての判定処理のフローチャートである。
【図１９】画像形成装置における「搬送経路切替」についての判定処理のフローチャートである。
【図２０】画像形成装置における「搬送経路切替」についての判定処理のフローチャートである。
【図２１】制御モードの判定結果に応じて、ジョブにおけるユーザー設定に対して変更を加えるための処理のフローチャートである。
【図２２】制御切替動作が「仕上げ処理切替」であるときの、ユーザー設定を変更するための処理のフローチャートである。
【図２３】原稿読取装置における、印字のための画像読込動作の前での、制御モードの判定のための処理のフローチャートである。
【図２４】原稿読取装置における、印字のための画像読込動作の前での、制御項目「給紙タイミング切替」「ウエイト位置切替」「搬送速度切替」についての、制御モードの判定のための処理のフローチャートである。
【図２５】原稿読取装置における、画像読込動作中の、制御モードの判定のための処理のフローチャートである。
【図２６】原稿読取装置における、画像読込動作中の、制御項目「給紙タイミング切替」「ウエイト位置切替」「搬送速度切替」についての、制御モードの判定のための処理のフローチャートである。
【図２７】画像形成装置における印字動作（画像形成動作）開始前に、当該装置の制御モードを判定するための処理のフローチャートである。
【図２８】画像形成装置における印字動作中（画像形成動作中）に、項目「給紙タイミング切替」「ウエイト位置切替」「搬送経路切替」「搬送速度切替」について、当該装置の制御モードを判定するための処理のフローチャートである。
【図２９】画像形成装置における印字動作中（画像形成動作中）に、項目「仕上げ切替」について、当該装置の制御モードを判定するための処理のフローチャートである。
【図３０】原稿読取装置における印字動作（原稿読取動作）開始前に、当該装置の制御モードを判定するための処理のフローチャートである。
【図３１】原稿読取装置における印字動作中（原稿読取動作中）に、項目「給紙タイミング切替」「ウエイト位置切替」「搬送経路切替」「搬送速度切替」について、当該装置の制御モードを判定するための処理のフローチャートである。
【図３２】原稿読取装置における印字動作中（原稿読取動作中）に、項目「原稿読込切替」について、当該装置の制御モードを判定するための処理のフローチャートである。
【図３３】原稿読取装置における印字動作中（原稿読取動作中）に、項目「原稿読込切替」について、当該装置の制御モードを判定するための処理のフローチャートである。
【図３４】制御モードの判定におけるリスクの表示を含む表示画面の具体例を示す。
【図３５】画像形成装置において実行される、項目「給紙タイミング切替」の制御のための処理のフローチャートである。
【図３６】画像形成装置において実行される、項目「給紙タイミング切替」の制御のための処理のフローチャートである。
【図３７】画像形成装置において実行される、項目「ウエイト位置切替」の制御のための処理のフローチャートである。
【図３８】画像形成装置において実行される、項目「ウエイト位置切替」の制御のための処理のフローチャートである。
【図３９】画像形成装置において実行される、項目「搬送経路切替」の制御のための処理のフローチャートである。
【図４０】画像形成装置において実行される、項目「搬送速度切替」の制御のための処理のフローチャートである。
【図４１】画像形成装置において実行される、項目「搬送速度切替」の制御のための処理のフローチャートである。
【図４２】画像形成装置において実行される、項目「搬送速度切替」の制御のための処理のフローチャートである。
【図４３】画像形成装置において実行される、項目「搬送速度切替」の制御のための処理のフローチャートである。
【図４４】画像形成装置において実行される、項目「仕上げ処理切替」の制御のための処理のフローチャートである。
【図４５】画像形成装置において実行される、項目「仕上げ処理切替」の制御のための処理のフローチャートである。
【図４６】原稿読取装置において実行される、項目「給紙タイミング切替」の制御のための処理のフローチャートである。
【図４７】原稿読取装置において実行される、項目「給紙タイミング切替」の制御のための処理のフローチャートである。
【図４８】原稿読取装置において実行される、項目「ウエイト位置切替」の制御のための処理のフローチャートである。
【図４９】原稿読取装置において実行される、項目「ウエイト位置切替」の制御のための処理のフローチャートである。
【図５０】原稿読取装置において実行される、項目「ウエイト位置切替」の制御のための処理のフローチャートである。
【図５１】原稿読取装置において実行される、項目「ウエイト位置切替」の制御のための処理のフローチャートである。
【図５２】原稿読取装置において実行される、項目「ウエイト位置切替」の制御のための処理のフローチャートである。
【図５３】原稿読取装置において実行される、項目「ウエイト位置切替」の制御のための処理のフローチャートである。
【図５４】原稿読取装置において実行される、項目「原稿読込処理切替」の制御のための処理のフローチャートである。
【発明を実施するための形態】
【００２９】
以下、本発明に係る画像処理装置について、図面を参照して説明する。なお、各図において、同様の作用および機能を奏する構成要素については、同じ符号を付し、その説明は繰返さない。
【００３０】
［情報システムの構成］
図１は、本発明の画像処理装置の一実施の形態である画像処理システム４０１を含む情報システムの概略構成を示す図である。
【００３１】
本情報システムでは、画像処理システム４０１は、ルーター４０２を介してネットワークに接続されており、そして、当該ネットワークに接続されている計画停電や電力使用率の情報を管理する計画停電情報／電力使用率管理サーバー４０３（以下、単に「サーバー４０３」ともいう）や、日の出日の入り時刻を管理する日の出日の入り情報管理サーバー４０４（以下、単に「サーバー４０４」ともいう）、および、画像処理システム４０１の設置されているフロアの照明情報を管理している照明情報管理サーバー４０５（以下、単に「サーバー４０５」ともいう）に接続されている。
【００３２】
サーバー４０３は、計画停電情報として、計画停電発生時期と計画停電発生範囲を特定する情報を格納しており、これらの情報を外部に公開する。また、電力使用量と供給できる電力量から電力使用率を算出し、当該電力使用率を外部に公開する。
【００３３】
日の出日の入り時刻を管理するサーバー４０４は、緯度、経度、および、年月日の情報から日の出日の入り時刻を算出し、それらを外部に公開する。
【００３４】
サーバー４０５は、各部屋やフロアの照明を管理する照明管理装置４０６に接続されており、各照明管理装置４０６の公開している情報から照明の点灯時刻と消灯時刻（以下、照明情報とする）を作成する。そして、サーバー４０５は、画像処理システム４０１からの要求に対応して、要求元の画像処理システム４０１の設置されている箇所の照明情報を公開する。
【００３５】
照明管理装置４０６は、当該照明管理装置４０６に接続されている各照明器具４０７のＯＮ／ＯＦＦ状態と、各照明器具４０７の場所情報とを保持し、その情報をサーバー４０５に公開する。
【００３６】
［画像処理システムの概略構成］
図２は、画像処理システム４０１の構成を概略的に示す図である。画像処理システム４０１は、システム本体ＭＢ、自動原稿送り装置ＤＦ、後処理装置ＦＳを含む。以下に、これらの構成を説明することにより、画像処理システム４０１の構成を説明する。
【００３７】
＜システム本体ＭＢ，自動原稿送り装置ＤＦ＞
図２において、システム本体ＭＢは、画像読取部１、画像処理部２、画像書込部３、画像形成部４、給紙カセット５、給紙ローラー手段６、定着装置７、排紙ローラー８、自動両面コピー給紙部９を備えている。システム本体ＭＢの上部には、自動原稿送り装置ＤＦが搭載されている。また、システム本体ＭＢの図示左側面の排紙ローラー８側には、後処理装置ＦＳが連結されている。
【００３８】
自動原稿送り装置ＤＦの原稿台上に載置された原稿は、搬送路に沿って搬送され画像読取部１の光学系により原稿の片面又は両面の画像が走査され、ＣＣＤ（charge-coupled  device）イメージセンサー１ＡやＣＩＳ（Contact  Image  Sensor）１Ｂに読み込まれる。ＣＣＤイメージセンサー１ＡやＣＩＳ１Ｂにより光電変換されたアナログ信号は、画像処理部２において、アナログ処理、Ａ／Ｄ変換、シェーディング補正、画像圧縮処理等を施された後、画像書込部３に送られる。ＣＩＳ１Ｂはその直下にはＣＩＳ清掃ローラー１Ｃが備え付けられており、一定枚数原稿を読み込んだごとに圧接し、ＣＩＳ１Ｂの清掃を行う。
【００３９】
画像書込部３に送られた画像データに基づき半導体レーザーが発光駆動され、画像形成部４の感光体ドラム４Ａに照射されて潜像が形成される。画像形成部４においては、帯電、露光、現像、転写、分離、クリーニング等の処理が行われ、感光体ドラム４Ａ上にトナー像が形成される。
【００４０】
給紙カセット５から給紙ローラー手段６により給送された記録用紙Ｓ１は、画像と同期させるため一旦タイミングローラー１０で停止し、画像形成の準備が整ったタイミングでタイミングローラー１０を駆動する。つまり、記録用紙は、画像形成のタイミングが整うまで、画像形成部（感光体ドラム４Ａ）近傍であって当該画像形成部より搬送経路上の上流側で一旦停止されてから、画像形成位置へと搬送される。その後、感光体ドラム４Ａに到達し、転写手段４Ｂによりトナー像が記録用紙Ｓ１に転写される。トナー像を担持した記録用紙Ｓ１は、定着装置７により定着処理され、排紙ローラー８から後処理装置ＦＳに送り込まれる。排紙ローラー８から後処理装置ＦＳに送り込まれる記録用紙Ｓ１は、排紙センサー８Ｂによって検出される。
【００４１】
定着装置７には、定着装置７の表面温度を測定する温度センサー７Ａが取り付けられている。定着装置７における定着温度の調整は、温度センサー７Ａによって検出される温度値に基づいて行なわれる。
【００４２】
両面コピーの場合には、片面画像処理済みの記録用紙Ｓ１は搬送路切り替え板８Ａにより自動両面コピー給紙部９に送り込まれ、画像形成部４において裏面にトナー像が転写され、定着された後、排紙ローラー８から後処理装置ＦＳに送り込まれる。
【００４３】
本明細書において、画像処理システム４０１は、原稿読取動作および画像形成動作を実行する装置を意味する。また、画像処理部２は、原稿読取装置４０１Ａにおいて生成された画像データに対してシェーディング補正等の種々の処理を施す部位を意味する。
【００４４】
＜後処理装置ＦＳ＞
後処理装置ＦＳは、用紙搬入部２０と、挿入紙給紙部３０ａ，３０ｂと、複数の後処理部とを有する。後処理部としては、穴あけ処理部４０、折り部５０、重ね合わせ処理部６０、端綴じ（平綴じ）処理部７１、中綴じ処理部７２、及び排紙部８０を有する。挿入紙給紙部３０ａには挿入紙Ｓ２が装填され、挿入紙給紙部３０ｂには他の挿入紙Ｓ３が装填される。挿入紙Ｓ２，Ｓ３は、表紙用紙やシステム本体ＭＢから排出される複数枚の記録用紙Ｓ１の間に挿入されるインサート用紙等の挿入紙であり、記録用紙Ｓ１と同様に、穴あけ処理や折り処理を行うことができる。
【００４５】
なお、以下の説明では、記録用紙Ｓ１、挿入紙Ｓ２，Ｓ３を総称して用紙Ｓと称する。挿入紙給紙部３０ａ，３０ｂから送り出された挿入紙Ｓ２，Ｓ３は下方に向かう搬送路を経て用紙搬入部２０に搬送される。穴あけ処理部４０は、用紙搬入部２０の左手下流側に配置され、用紙Ｓにパンチ穴を開ける。
【００４６】
穴あけ処理部４０の下流から下方に分岐した搬送路Ｈ１は、搬送ローラー２３を経て用紙スタック部１００に続く。用紙スタック部１００には、中綴じ処理部７２、折り部５０が配置されている。
【００４７】
重ね合わせ処理部６０は、穴あけ処理部４０の下流から上方に分岐した搬送路Ｈ２の下流側に配設され、搬送路Ｈ３，Ｈ４，Ｈ５を備えている。
【００４８】
重ね合わせ処理部６０は、その下流側に位置する端綴じ処理部７１において、先行する用紙Ｓに綴じ処理するための時間を確保するために、２部目以降の後続の用紙Ｓを搬送路Ｈ３及び搬送路Ｈ４，Ｈ５に待機させる。
【００４９】
搬送路Ｈ２の下流側に位置する搬送路は、二重に湾曲する搬送路に分岐し、内側の搬送路Ｈ４と外側の搬送路Ｈ３，Ｈ５とに分かれる。
【００５０】
搬送路Ｈ２から分岐して湾曲する内側の搬送路Ｈ４の排出口には、搬送ローラー２１が設けられ、綴じ処理を行う際、１部目の用紙Ｓは、搬送路Ｈ２，Ｈ４、搬送ローラー２１を経由して順次集積部７０に送り込まれ、集積部７０で綴じ処理される。
【００５１】
２部目以降の用紙Ｓの１枚目が搬送されてきた場合、搬送ローラー２１は回転を停止した状態で用紙先端を受け止め、用紙先端を搬送ローラー２１のニップに当接した状態で待機させる。
【００５２】
搬送路Ｈ４を搬送された用紙Ｓは、前記のように、搬送ローラー２１にその先端が当接した状態で待機するが、次の用紙Ｓは、搬送路Ｈ２から搬送路Ｈ３に進入して、搬送路Ｈ５経由で搬送ローラー２１に到達する。先行する用紙Ｓと後行する用紙Ｓとが搬送ローラー２１で先端を当接して重なった状態になると、搬送ローラー２１が回転し、２枚一緒に搬送して集積部７０へと送り込む。このように２部目以降の用紙Ｓは重ね合わせ処理部６０で先行する用紙束の綴じ処理が終了するまで待機され、綴じ処理がシステム本体ＭＢの生産性を落とすことなく行われる。
【００５３】
搬送路Ｈ２の下流の搬送路Ｈ３は、さらに搬送路Ｈ５と搬送路Ｈ６に分岐している。搬送路Ｈ６は、排紙部８０の一部を構成する固定排紙皿８１に用紙Ｓを排出するもので、固定排紙皿８１は、搬送路Ｈ６の下流側で、後処理装置ＦＳの機外に突出する位置に配設され、少量の用紙Ｓを集積する場合に用いられる。
【００５４】
排紙部８０は、さらに昇降排紙皿８２と後述する下部排紙皿８３とを有し、搬送ローラー２１と昇降排紙皿８２との間には排紙ローラー２２、集積部７０、端綴じ処理部７１、および図示しない整合機構が配置される。
【００５５】
排紙ローラー２２は、一対のローラーからなり、非排紙時には一対のローラーは離隔しており、排紙時に接触して用紙Ｓを昇降排紙皿８２に排出する。
搬送ローラー２１により搬送される用紙Ｓは、離隔している排紙ローラー２２間を図中左方向に走行し、後端が搬送ローラー２１から離れたときに、集積部７０に落下し、傾斜している集積部７０を滑落してストッパ（図示せず）により受け止められて集積部７０上で停止する。順次、用紙Ｓが排出され、設定枚数の用紙Ｓが集積部７０上に集積されると、端綴じ処理部７１が作動して用紙Ｓのストッパ側端面を綴じ処理する。
【００５６】
綴じ処理された用紙Ｓは前記ストッパにより押し上げられて集積部７０上を左上方に移動する。このとき、排紙ローラー２２を構成する一対のローラーが接触して用紙Ｓをニップし、搬送して、昇降排紙皿８２に排出する。
【００５７】
後処理なしで大量の画像形成を行う際には、用紙Ｓは用紙搬入部２０から搬送路Ｈ２，Ｈ４を経て昇降排紙皿８２に排出され、昇降排紙皿８２は、排紙される用紙Ｓの最上面が常に一定した高さになるように図の鎖線で示すように下方に移動する。したがって、昇降排紙皿８２上には、数千枚の用紙を集積することが可能である。
【００５８】
用紙スタック部１００は、搬送ローラー２３の下流で水平方向に対して斜めに配置されており、用紙Ｓをガイドする複数のガイド部材および規制部材と、中綴じ処理部７２と、折り部５０とを有し、１枚以上の用紙Ｓに対して、中折りモード、中折り・中綴じモード、三つ折りモードの各モードで用紙を処理し、下部排紙皿８３に排出する。
【００５９】
［画像処理システムのブロック構成］
画像処理システム４０１は、物理的には、上記したように、システム本体ＭＢ、自動原稿送り装置ＤＦ、後処理装置ＦＳを含む。なお、画像処理システム４０１は、その機能として、原稿読取装置４０１Ａと、画像形成装置４０１Ｂと、これらの動作を制御するコントローラー４０１Ｃとを含む。図３は、画像処理システム４０１のブロック構成を示す図である。
【００６０】
画像処理システム４０１では、特記する場合を除いて、原稿読取装置４０１Ａには、自動原稿送り装置ＤＦおよび画像処理システム本体ＭＢの中の画像読取部１が属する。また、画像形成装置４０１Ｂには、特記する場合を除いて、画像処理システム本体ＭＢの画像処理部２と画像書込部３と画像形成部４と給紙カセット５と給紙ローラー手段６と定着装置７と排紙ローラー８と自動両面コピー給紙部９、および、後処理装置ＦＳが、属する。そして、図３では、後処理装置ＦＳ以外の部分のブロック構成が示されている。
【００６１】
図３を参照して、画像形成装置４０１Ｂの制御部は、主な構成要素として、エンジンＣＰＵ（Central  Processing  Unit）２００（以下、単に「ＣＰＵ２００」という）、モーター駆動部２０１、レーザーダイオード駆動部２０２、ＲＯＭ（Read  Only  Memory）２０３、ＲＡＭ（Random  Access  Memory）２０４、定着部２０５、エンジン制御部２０６を備える。
【００６２】
レーザーダイオード駆動部２０２は、各色の画像データをＨＤ（ハードディスク）２３６から取り出し、露光部のレーザーダイオード（図省略）を起動する。
【００６３】
モーター駆動部２０１は、給紙モーター２０７、タイミングモーター２０８、ポリゴンモーター２０９などを備え、タイミングセンサー２１０や排紙センサー８Ｂからエンジン制御部２０８等を介して読み取った情報に基づいて、ＲＯＭ２０３に格納されている印字処理に必要な制御プログラムによって、適切な印字実現するために駆動する。タイミングモーター２０８は、タイミングローラー１０を回転させるためのモーターである。画像形成装置４０１Ｂの搬送経路上の記録用紙は、タイミングローラー１０により一旦停止されて先端が整えられた後に、画像形成部４へと搬送される。
【００６４】
定着部ＣＰＵ２０５（以下、単に「ＣＰＵ２０５」という）は、定着温度センサー２１２と、定着ヒーター２１４と、定着ローラー２１３を備え、定着温度センサー２１２とＲＯＭ２０３に格納されている制御プログラムによって定着ヒーター２１４を起動／停止させ、定着ローラー２１３を適切な温度となるように制御動作を実行する。ＲＯＭ２０３は、前述の通り、適切な印字制御を行うための制御プログラムが格納されている。ＲＡＭ２０４は、コントローラー４０１Ｃからの印字命令を一時的に格納するほか、ＣＰＵ２００のワークエリアとして用いられる。
【００６５】
なお、本実施の形態において言及される各種のプログラムは、画像処理システム本体ＭＢに対して着脱可能な記憶媒体に記録されていても良い。記憶媒体としては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムを格納する媒体が挙げられる。
【００６６】
なお、コントローラー４０１Ｃには、画像形成装置４０１ＢのＣＰＵ２００とは別に、ＣＰＵ２３０が備えられている。
【００６７】
また、コントローラー４０１Ｃには、ＲＯＭ２３１、ＲＡＭ２３２、通信インターフェイス（Ｉ／Ｆ）部２３３、操作部２３４、画像処理部２３５（画像処理部２）、ＨＤ２３６が備えられている。通信Ｉ／Ｆ部２３３は、ＬＡＮ（Local  Area  Network）カード（図省略）、ＬＡＮボード（図省略）といったＬＡＮに接続するためのインターフェースであり、外部からのプリントジョブのデータを受信して、受信したデータを画像処理部２３５（上記の画像処理部２）に送る。
【００６８】
画像処理部２３５は、通信Ｉ／ＦからのプリントジョブデータやＣＣＤセンサー３０１（ＣＣＤイメージセンサー１Ａ）から読み込んだデータをＹＭＣＫの再現色の画像データに変換して、再現色毎にＲＡＭ２３２に保存する。ＲＯＭ２３１には、画像形成処理や操作パネルの処理に必要な制御プログラムが格納されている。ＲＡＭ２３２は、再現色の画像データの保存の他、ＣＰＵ２３０のワークエリアとして用いられる。操作部２３４の構成については、後述する。
【００６９】
画像読取装置４０１Ａには、ＣＰＵ２００およびＣＰＵ２３０の他にＣＰＵ３００が備えられ、また、ＣＣＤセンサー３０１、レジストセンサー３０２、ＲＯＭ３０３、ＲＡＭ３０４、モーター駆動回路３０５が備えられている。さらに、モーター駆動回路３０５には、給紙モーター３０６やレジストモーター３０７、スキャンモーター３０８が備えられ、これらは、レジストセンサー３０２や排出センサー３０９などの検出出力に基づいて、タイミングを調整されながら、統一的に制御される。これにより、画像読取装置４０１Ａにおいて適切な画像の読取が実現される。
【００７０】
具体的には、給紙モーター３０６が駆動されることにより、自動原稿送り装置ＤＦの原稿トレイに載置された原稿用紙が、１枚ずつ、自動原稿送り装置ＤＦにおける搬送経路へと送り出される。当該原稿用紙は、レジストセンサー３０２で検出された後、自動原稿送り装置ＤＦ内のレジストローラー（図示略）により一旦停止されて先端が整えられた後に、ＣＣＤセンサー３０１の画像読取位置へと搬送される。つまり、画像読取位置近傍であって当該画像読取位置よりも搬送経路上の上流側で一旦停止されてから、画像読取位置へと搬送される。レジストモーター３０７は、当該レジストローラーの状態を、原稿用紙を停止させる状態と原稿用紙を解放する状態との間で切り替えるためのモーターである。そして、原稿用紙は、給紙モーター３０６が駆動されることにより搬送経路内を搬送され、ＣＣＤセンサー３０１の画像読取位置を通過した後、排出センサー３０９による用紙検出位置を通過して、自動原稿送り装置ＤＦの排紙トレイへと搬送される。なお、原稿読取部１では、原稿用紙が画像読取位置に載置された状態で、ＣＣＤセンサー３０１がスキャンモーター３０８によってスキャンさせることにより、ＣＣＤセンサー３０１に原稿用紙全体の画像を読み込ませる。
【００７１】
ＲＯＭ３０３には、原稿読取装置４０１Ａに必要な制御プログラムが格納されている。ＲＡＭ３０４は、読み取った画像データの保存の他、ＣＰＵ３００のワークエリアとして用いられる。
【００７２】
［操作部の構成］
図４は、画像処理システム４０１のコントローラー４０１Ｃの操作部２３４の構成を示す図である。
【００７３】
図４を参照して、操作部２３４は、タッチパネル式の液晶表示部２３４Ａとテンキー２３４Ｂとスタートキー２３４Ｃとキャンセルキー２３４Ｄを備える。
【００７４】
操作部２３４において、テンキー２３４Ｂは、コピー枚数や部数の入力などに用いられる。スタートキー２３４Ｃは、コピー設定の完了やコピージョブの開始指示に用いられる。また、キャンセルキー２３４Ｄは、コピー枚数やコピーモードを初期状態に戻すために用いられる。
【００７５】
タッチパネル式の液晶表示部２３４Ａは、カラーモードや給紙段の指定、後処理設定、使用する原稿読取装置の指定、および、片面／両面印字の設定のための情報を表示する。なお、本明細書では、これらの指定および設定を総称して「コピー設定」ともいう。また、液晶表示部２３４Ａは、ユーザーが入力した印字枚数や部数、コピー設定の表示に使用する。また、液晶表示部２３４Ａは、計画停電情報や電力使用率情報（以下、電力情報）に基づいて停電発生の可能性を判断し、当該可能性が高い場合には、ユーザーに再設定を促す画面を表示する。さらに、液晶表示部２３４Ａは、このような画面に対する再設定の内容の入力や、日の入り、日の出の時刻の入力にも使用される。
【００７６】
図５は、日の入り、日の出時刻の入力の画面例を示す図である。
［画像処理シーケンスの概要］
次に、画像処理システム４０１において画像処理動作が実行される場合の、要素間での処理の流れの一例を説明する。ここでは、処理内容の具体例として、三枚の用紙からなる原稿を読み込み、当該原稿の画像をコピー部数１部で印刷する場合を挙げる。
【００７７】
図６は、当該処理における、画像処理システム４０１における各要素（画像読取装置４０１Ａ、画像形成装置４０１Ｂ、コントローラー４０１Ｃ）の処理シーケンスの概要を示す図である。図６では、各要素間の情報のやりとりが矢印で示され、また、各要素において処理が実行されている期間が帯で示されている。各帯内のハッチングの種類は、処理の種類を示している。
【００７８】
図６を参照して、まず、コントローラー４０１Ｃは、印字設定の入力を受け付ける。印字設定は、操作部２３４に対する操作、または、パーソナルコンピューター等の外部の装置から送信されてきた情報によって、コントローラー４０１Ｃに入力される。そして、コントローラー４０１Ｃは、サーバー４０３等の外部の装置から計画停電情報や電力使用量といった電力情報を取得する。そして、取得した情報と上記のように入力された印字設定とに基づいて、印字ジョブを生成し、開始する。
【００７９】
印字ジョブを開始すると、コントローラー４０１Ｃは、画像読取装置４０１Ａに対して、原稿の一枚目の用紙の画像の読取の命令（画像読取命令（１））を発行する。この読取命令には、原稿読取タイプや、生産性重視モードか残留紙低減モードかといった制御モードの情報が含まれている。「生産性重視モード」「残留紙低減モード」とは、本実施の形態における画像処理システム４０１の制御モードである。「生産性重視モード」とは、画像処理システム４０１において或る一定の印字生産性を確保するための制御モードである。「残留紙低減モード」とは、画像処理システム４０１内に残留する用紙の枚数を少なくするための制御モードである。各モードの詳細な制御内容については、後述する。
【００８０】
原稿読取命令を受付けた画像読取装置４０１Ａは、原稿読取タイプと制御モードの情報から指定される制御方法で原稿の読取を行う。一枚目の原稿読取が完了した場合、コントローラー４０１Ｃに対して一枚目の画像読取が完了したこと（画像読取完了（１））を通知する。
【００８１】
画像読取完了を受けたコントローラー４０１Ｃは、読取が完了した画像データを画像形成装置４０１Ｂが印字するために必要な形式に変換するための画像処理を画像処理部２３５に指示する。また、二枚目の原稿読取命令（画像読取命令（２））を原稿読取装置４０１Ａに発行する。
【００８２】
コントローラー４０１Ｃにおいて１枚目の画像処理が完了すると、次に、画像形成装置４０１Ｂに対して、１枚目の画像に基づく印字命令（印字命令（１））を発行する。この印字命令には、プリント設定や生産性重視モードか残留紙低減モードかといった制御モードの情報が含まれている。
【００８３】
画像形成装置４０１Ｂは、受け取った印字命令で指定される制御方法で印字制御を開始する。画像形成装置４０１Ｂは、当該印字命令に基づいて印字の対象とされた一枚目の記録用紙が、上記印字命令に含まれる制御モードによって指示された箇所に到達すると、コントローラー４０１Ｃ側に、次の印字命令の発行を受付けることが可能になったことを示す情報（次用紙給紙許可（１））を通知する。
【００８４】
次用紙給紙許可の通知を受付けたコントローラー４０１Ｃは、画像処理が完了し、未だ印字命令を発行していない画像がある場合、次の印字命令を画像形成装置４０１Ｂに発行する。具体的には、原稿の２枚目の用紙の画像についての印字命令、二枚目の印字命令（印字命令（２））、を画像形成装置４０１Ｂ側にを発行する。
【００８５】
画像形成装置４０１Ｂは、次用紙給紙許可の通知後も印字処理を継続する。そして、一枚目の印字命令の印字が完了した場合、一枚目の印字完了情報（印字完了情報（１））を通知する。コントローラー４０１Ｃは、印字完了情報の受信を以て、印字が完了したことを認識する。
【００８６】
以上のやり取りが、画像読取装置４０１Ａと画像形成装置４０１Ｂとコントローラー４０１Ｃの中で印字枚数分繰り返される。そして、最後の印字完了情報（印字完了情報（３））を画像形成装置４０１Ｂから受け付けたコントローラー４０１Ｃは、ジョブが完了したと判定し、ジョブを完了する。
【００８７】
［ジョブ実行のための処理フロー］
図７は、コントローラー４０１Ｃによって実行される、電源ＯＮからコピージョブ（印字ジョブ）が完了するまでの処理の流れを示すフローチャートである。
【００８８】
図７を参照して、画像処理システム４０１の電源がＯＮ（ステップＳＳ１００００（以下、「ステップ」を省略する）されると、コントローラー４０１Ｃは、Ｓ１０１００において、ネットワークを介して、停電期間情報や電力使用率情報といった電力情報と、日の出／日の入り情報、照明装置情報を取得する。また、Ｓ１０１００において、コントローラー４０１Ｃは、現在時刻や、ユーザーがタッチパネルやテンキーから入力した印字する原稿の枚数や部数、給紙段の指定、カラーモードの設定、手置きやＡＤＦ（Auto  Document  Feeder）などの原稿読取のタイプの情報などのコピー設定を取得する。
【００８９】
次に、コントローラー４０１Ｃは、収集した電力情報を基に、原稿読取装置４０１Ａと画像形成装置４０１Ｂのそれぞれの制御モード（残留紙低減モードか生産性重視モードか）の判定を行い（Ｓ１０２００，Ｓ１０３００）、そして、ユーザーの設定した後処理設定を保存する（Ｓ１０４００，Ｓ１０５００）。
【００９０】
次に、コントローラー４０１Ｃは、原稿枚数と部数がユーザーによって入力されたかどうかを確認し（Ｓ１０６００）、どちらかの情報が入力されていない場合は、情報収集（Ｓ１０１００）に処理を戻す。原稿枚数と部数のどちらの情報も入力されている場合には、コントローラー４０１Ｃは、ユーザーによって印字開始命令が入力されているかどうかを確認する（Ｓ１０７００）。印字開始命令が入力されていれば（Ｓ１０７００でＯＮ）、原稿読取指示ステップ（Ｓ１０８００）へ処理を進める。一方、入力されていない場合には、情報収集（Ｓ１０１００）に処理を戻す。なお、印字開始命令は、操作部にあるスタートキーを押下することによって発行される。また、コントローラー４０１Ｃに対する印字開始命令は、ネットワークを介して他の装置から入力される場合もあり得る。
【００９１】
印字開始命令が発行された場合、まず原稿読取指示（図６の印字読取命令）を発行する（Ｓ１０８００）。ここでは、コントローラー４０１Ｃは、制御モードや使用する原稿読取装置４０１Ａの種類に基づいた内容の原稿読取指示を、原稿読取装置４０１Ａに発行する。
【００９２】
図６を参照して説明したように、原稿読取装置４０１Ａは、コントローラー４０１Ｃから原稿読取指示を受けると、原稿の読取処理の完了後、コントローラー４０１Ｃに対して画像読取完了情報を送信する。これに応じて、コントローラー４０１Ｃは、原稿読取装置４０１Ａから受信した原稿の画像データについて、画像処理部２３５に画像処理を指示し、当該画像処理が終了すると、画像形成装置４０１Ｂに、印字命令を発行する（Ｓ１０９００）。
【００９３】
図８〜図９は、コントローラー４０１Ｃが原稿読取装置４０１Ａに原稿読取指示を発行してから画像形成装置４０１Ｂに印字命令を発行するまでに実行する処理のフローチャートである。
【００９４】
まず図８を参照して、コントローラー４０１Ｃは、Ｓ１０８０１で、原稿読取装置４０１Ａの状態をチェックする。原稿読取装置４０１Ａの状態は、たとえば後述するフラグの状態に基づいて判断される。そして、画像読取中であればＳ１０８０８へ処理を進め、読取完了であればＳ１０８１０へ処理を進め、読取待機であればＳ１０８０２へ処理を進める。
【００９５】
Ｓ１０８０２では、コントローラー４０１Ｃは、入力された原稿枚数分の原稿用紙の画像の読取が完了したか否かを判断し、そうであると判断するとＳ１０８１６へ処理を進め、まだ完了していないと判断するとＳ１０８０３へ処理を進める。ここでの判断は、たとえば、原稿読取装置４０１Ａにおいて読取が完了した原稿用紙の枚数（読取完了枚数）の値と、原稿用紙の総枚数（原稿枚数）の値が一致するか否かによって実現される。原稿枚数は、上記したようにユーザーから入力された値である。読取完了枚数は、後述するＳ１０８１１において計数される値である。そして、コントローラー４０１Ｃは、たとえばこれらの枚数が等しい場合に、入力した原稿枚数分の画像の読取が完了したと判断する。また、これらの枚数が異なる場合には、コントローラー４０１Ｃは、入力した原稿枚数分の画像の読取がまだ完了していないと判断する。
【００９６】
Ｓ１０８０３では、コントローラー４０１Ｃは、Ｓ１０１００で取得したコピー設定等に基づいて、画像読取に利用する装置を決定する。このときの判断は、たとえば原稿読取装置４０１ＡにおいてＡＤＦを利用するか否かの判断である。そして、コントローラー４０１Ｃは、コピー設定がＡＤＦを利用するものであればＳ１０８０４へ処理を進め、コピー設定画ＡＤＦを利用しないもの、つまり原稿用紙を画像読取位置に手置きするものであればＳ１０８１３へ処理を進める。「手置き」では、ＡＤＦで原稿用紙が搬送されることなく原稿が読取られる。
【００９７】
Ｓ１０８０４では、コントローラー４０１Ｃは、現在の画像処理システム４０１の動作モードをチェックし、その内容に従って処理を進める。具体的には、残留紙低減モードであればＳ１０８０５へ、生産性重視モードであればＳ１０８０６へ、処理を進める。
【００９８】
Ｓ１０８０５では、コントローラー４０１Ｃは、原稿読取装置４０１Ａに対して、残留紙低減モード下でのＡＤＦ読取指示（印字読取命令）を発行して、Ｓ１０８０７へ処理を進める。
【００９９】
一方、Ｓ１０８０６では、コントローラー４０１Ｃは、原稿読取装置４０１Ａに対して、生産性重視モード下でのＡＤＦ読取指示（印字読取命令）を発行して、Ｓ１０８０７へ処理を進める。
【０１００】
Ｓ１０８０７では、コントローラー４０１Ｃは、原稿読取装置４０１Ａの読取状態を表すフラグを「読取中」にセットして、Ｓ１０８１６へ処理を進める。
【０１０１】
Ｓ１０８０８では、コントローラー４０１Ｃは、Ｓ１０８０１において読込中であった原稿の読取が完了したか否かを判断し、完了したと判断するとＳ１０８０９へ処理を進め、まだ完了していないと判断するとＳ１０８１６へ処理を進める。なお、Ｓ１０８０８における判断は、たとえばＳ１０８０１において原稿の「読取中」の状態にあると判断した後で、画像形成装置４０１Ｂより当該原稿についての印字読取情報（図６参照）を受信したか否かの判断により実現される。
【０１０２】
Ｓ１０８０９では、コントローラー４０１Ｃは、原稿読取装置４０１Ａの読取状態を表すフラグを「読取完了」にセットして、Ｓ１０８１６へ処理を進める。
【０１０３】
Ｓ１０８１０では、コントローラー４０１Ｃは、画像処理部２３５に対して、原稿読取装置４０１Ａから取得した原稿の画像データの画像処理を指示して、Ｓ１０８１１へ処理を進める。
【０１０４】
Ｓ１０８１１では、コントローラー４０１Ｃは、読取完了枚数を１加算更新して、Ｓ１０８１２へ処理を進める。
【０１０５】
Ｓ１０８１２では、コントローラー４０１Ｃは、原稿読取装置４０１Ａの読取状態を表すフラグを「読取待機」にセットして、Ｓ１０８１６へ処理を進める。
【０１０６】
Ｓ１０８１３では、コントローラー４０１Ｃは、操作部２３４において原稿読取開始のボタン操作がなされたか否かを判断し、なされたと判断するとＳ１０８１４へ処理を進め、まだなされていないと判断するとＳ１０８１６へ処理を進める。
【０１０７】
Ｓ１０８１４では、コントローラー４０１Ｃは、原稿読取装置４０１Ａに対してＡＤＦを利用せず、手置きで画像読取位置に載置された原稿の画像を読取るように指示し（印字読取命令）、Ｓ１０８１５へ処理を進める。
【０１０８】
Ｓ１０８１５では、コントローラー４０１Ｃは、原稿読取装置４０１Ａの読取状態を表すフラグを「読取中」にセットして、Ｓ１０８１６へ処理を進める。
【０１０９】
Ｓ１０８１６では、コントローラー４０１Ｃは、原稿読取装置４０１Ａから受信し画像処理部２３５による画像処理が完了した画像データが存在するか否かを判断し、存在すると判断するとＳ１０８１７へ処理を進め、そのような画像データが存在しないと判断するとそのまま処理を図７にリターンさせる（つまり、Ｓ１０９００へ処理を進める）。
【０１１０】
Ｓ１０８１７では、コントローラー４０１Ｃは、Ｓ１０８１６において画像処理が完了したと判断した画像データをＲＡＭ２３２に保存して、処理を図７にリターンさせる（つまり、Ｓ１０９００へ処理を進める）。
【０１１１】
なお、図８に示されたＳ１０８０１〜Ｓ１０８１３の処理は、図１０に示されたＳ１０８１８〜Ｓ１０８２８に置き換えられても良い。図１０は、図８の処理部分の変形例のフローチャートである。
【０１１２】
図１０のフローチャートでは、Ｓ１０８１８〜Ｓ１０８２１が図８のＳ１０８０１〜Ｓ１０８０４に対応し、また、Ｓ１０８２２〜Ｓ１０８２８が図８のＳ１０８０６〜Ｓ１０８１２に対応する。つまり、図１０のフローチャートでは、図８のＳ１０８０５に相当する処理が含まれていない。つまり、図１０のフローチャートでは、Ｓ１０８２１においてその時点での画像処理システム４０１の制御モードが生産性重視モードであると判断されると、Ｓ１０８２３（Ｓ１０８０７）においてＡＤＦ読取指示がなされることなく、Ｓ１０８１３（図９参照）へ処理が進められる。そして、読取開始ボタンが操作されると（Ｓ１０８１３でＹＥＳ）、Ｓ１０８１４で手置き読取指示が出される。つまり、図１０に示された変形では、制御モードが残留紙低減モードである場合には原稿読取装置４０１ＡにおいてＡＤＦが使用されず、手置きにて原稿画像の読取がなされる。
【０１１３】
図７に戻って、Ｓ１０８００において原稿読取指示を発行した後、コントローラー４０１Ｃは、Ｓ１０９００で、画像形成装置４０１Ｂに対して印字指示（図６の「印字命令」）を発行して、Ｓ１１０００へ処理を進める。ここで発行される印字指示は、Ｓ１０８１７で保存した画像データについての印字の指示である。図１１は、Ｓ１０９００のサブルーチンのフローチャートである。ここで、図１１を参照して、Ｓ１０９００の処理の詳細について説明する。
【０１１４】
図１１を参照して、印字指示では、コントローラー４０１Ｃは、Ｓ１０９０１で、画像形成装置４０１Ｂが印字指示を受けることができる状態にあるか否かを判断し、そうであると判断するとＳ１０９０２へ処理を進め、そうではないと判断するとＳ１０９０３へ処理を進める。画像形成装置４０１Ｂの状態は、後述するように設定されるフラグの状態に基づいて、判断される。フラグの値が、「印字待機状態」であればＳ１０９０２へ処理が進められ、「次印字指示可能待ち」であればＳ１０９０３へ処理が進められる。
【０１１５】
Ｓ１０９０２では、コントローラー４０１Ｃは、画像処理が完了し、まだ印字されていない画像データがあるか否かを確認する。ここで画像処理が完了した画像データとは、Ｓ１０８１７（図９参照）で保存された画像データである。そして、当該確認の結果、印字されていない画像データがある場合には、Ｓ１０９０４へ処理を進める。
【０１１６】
Ｓ１０９０４では、コントローラー４０１Ｃは、その時点での画像処理システム４０１の制御モードに従って印字指示（印字命令）を発行する。具体的には、コントローラー４０１Ｃは、制御モードが残留紙低減モードであれば、Ｓ１０９０５で当該モードに従った印字指示を画像形成装置４０１Ｂに発行し（Ｓ１０９０５）、制御モードが生産性重視モードであれば、当該モードに従った印字指示を画像形成装置４０１Ｂに発行する（Ｓ１０９０６）。
【０１１７】
そして、Ｓ１０９０７で、コントローラー４０１Ｃは、画像形成装置４０１Ｂの印字状態を表すフラグを「次印字指示可能待ち」にセットして、Ｓ１０９０９へ処理を進める。
【０１１８】
Ｓ１０９０９では、コントローラー４０１Ｃは、印字指示をした回数のカウンタのカウント値を１加算更新して、処理を図７にリターンさせる。
【０１１９】
Ｓ１０９０３では、コントローラー４０１Ｃは、画像形成装置４０１Ｂが、次の用紙の給紙が可能な状態にあるか否かを判断し、そうであると判断するとＳ１０９０８へ処理を進め、そうではないと判断するとそのまま図７へ処理を戻す。なお、コントローラー４０１Ｃは、図６で説明したような次用紙給紙許可を画像形成装置４０１Ｂから受信したか否かに基づいて、Ｓ１０９０３における判断を実現する。具体的には、最新の印字命令（たとえば、印字命令（１））を発行してから、当該印字命令に対応した次用紙給紙許可（たとえば、次用紙給紙許可（１））を受信したことを条件として、Ｓ１０９０８へ処理を進め、まだ受信していなければそのまま図７へ処理をリターンさせる。
【０１２０】
Ｓ１０９０８では、コントローラー４０１Ｃは、画像形成装置４０１Ｂの印字状態を表すフラグを「印字指示待機」にセットして、Ｓ１０９０９へ処理を進める。
【０１２１】
つまり、図１１に示された処理によれば、コントローラー４０１Ｃは、画像形成装置４０１Ｂからの次用紙給紙許可を受けて、次の印字命令を発行する。（Ｓ１０９０１〜Ｓ１０９０８）。
【０１２２】
図７に戻って、Ｓ１０９００で印字指示を発行した後、コントローラー４０１Ｃは、Ｓ１１０００で、電力情報や日の出／日の入り情報、照明装置情報、原稿読取完了情報、次用紙給紙可能情報、印字完了情報を収集する。
【０１２３】
次に、コントローラー４０１Ｃは、収集した情報を基に、原稿読取装置４０１Ａと画像形成装置４０１Ｂのそれぞれの制御モードの判定を行う（Ｓ１１２００，Ｓ１１３００）。
【０１２４】
そして、上記判定の結果、前回、Ｓ１０２００，Ｓ１０２００またはＳ１１２００，Ｓ１１３００において決定した制御モードから変化があった場合、コントローラー４０１Ｃは、給紙口や使用する原稿読取装置４０１Ａのタイプなどを切り替える印字設定の切り替え制御を行なう（Ｓ１１４００）。
【０１２５】
そして、コントローラー４０１Ｃは、Ｓ１０１００で設定を受け付けたジョブが完了したか否かを判断する（Ｓ１１５００）。ジョブが完了していない場合、コントローラー４０１Ｃは、Ｓ１０８００の原稿読取指示に処理を戻す。一方、ジョブが完了している場合、コントローラー４０１Ｃは、原稿枚数や部数などの情報をリセットした後（Ｓ１１６００）、Ｓ１０１００へ処理を戻し、次のジョブについて、ユーザーからの入力を受付ける。
【０１２６】
Ｓ１０２００、Ｓ１０３００、Ｓ１１２００、Ｓ１１３００、Ｓ１１４００のサブルーチンについては、後述する。
【０１２７】
［画像形成装置における処理フロー］
図１２は、画像形成装置４０１Ｂについての、電源ＯＮからコピージョブが完了するまでの処理の流れを示すフローチャートである。
【０１２８】
図１２を参照して、電源ＯＮ後（Ｓ２００００）、画像形成装置４０１Ｂは、Ｓ２０１００で、以下の（Ｐ１）〜（Ｐ４）の情報を収集する。
【０１２９】
（Ｐ１）コントローラーから発行される新規印字命令の有無（制御モード／給紙段／カラーモードの設定／片面印字なのか両面印字なのか）
（Ｐ２）画像形成装置４０１Ｂ内の用紙枚数や用紙位置情報
（Ｐ３）定着温度情報
（Ｐ４）実行する後処理情報
次に、画像形成装置４０１Ｂは、Ｓ２０２００において、Ｓ２０１００において収集した情報に基づき、コントローラー４０１Ｃから新規の印字命令を受信したか否かを判断する。そして、画像形成装置４０１Ｂは、受信したと判断するとＳ２０３００へ処理を進め、受信していないと判断するとＳ２０４００へ処理を進める。
【０１３０】
Ｓ２０３００では、画像形成装置４０１Ｂは、印字命令として送られてきた制御モードや給紙段、カラーモードの設定などと共に、前回の印字命令の制御モードと今回の制御モードとが一致するか否かの情報を、印字命令登録バッファーに登録する。印字命令登録バッファーは、たとえばＲＡＭ２０４内に設定されている。
【０１３１】
図１３は、Ｓ２０３００のサブルーチンのフローチャートである。図１３を参照して、Ｓ２０３００の処理内容を詳細に説明する。
【０１３２】
図１３を参照して、画像形成装置４０１Ｂは、まずＳ２０３０１で、新規の印字命令から、制御モードの設定内容を取得する。そして、取得した設定内容が生産性重視モードであればＳ２０３０２へ処理を進め、残留紙低減モードであればＳ２０３０５へ処理を進める。
【０１３３】
Ｓ２０３０２では、画像形成装置４０１Ｂは、Ｓ２０３０１で取得した制御モードが前回の印字命令の制御モードと同じであるか否かを判断し、同じであればＳ２０３０３へ、異なればＳ２０３０４へ、それぞれ処理を進める。
【０１３４】
Ｓ２０３０３では、画像形成装置４０１Ｂは、制御モードに応じた印字命令を、前回の印字命令から制御モードと同じ制御モードである旨の情報とともに登録し、図１２へ処理をリターンさせる。
【０１３５】
一方、Ｓ２０３０４では、画像形成装置４０１Ｂは、制御モードに応じた印字命令を、前回の印字命令とは制御モードが異なる旨の情報とともに登録し、図１２へ処理をリターンさせる。
【０１３６】
Ｓ２０３０５では、画像形成装置４０１Ｂは、Ｓ２０３０１で取得した印字モードが前回の印字命令の制御モードと同じであるか否かを判断し、同じであればＳ２０３０６へ、異なればＳ２０３０７へ、それぞれ処理を進める。
【０１３７】
Ｓ２０３０６では、画像形成装置４０１Ｂは、制御モードに応じた印字命令を、前回の印字命令から制御モードと同じ制御モードである旨の情報とともに登録し、図１２へ処理をリターンさせる。
【０１３８】
一方、Ｓ２０３０７では、画像形成装置４０１Ｂは、制御モードに応じた印字命令を、前回の印字命令とは制御モードが異なる旨の情報とともに登録し、図１２へ処理をリターンさせる。
【０１３９】
図１２に戻って、Ｓ２０４００では、画像形成装置４０１Ｂは、印字命令登録バッファーに命令が登録されているかどうかを確認し、登録されていなければ、Ｓ２０１００へ処理を戻す。一方、登録されている場合には、Ｓ２０５００で、各印字命令に対して、制御切り替え動作と搬送制御を行い、Ｓ２０６００へ処理を進める。なお、Ｓ２０５００の処理は、印字命令登録バッファーに登録されている全ての印字命令について、実行される。
【０１４０】
Ｓ２０６００では、印字制御や定着制御を含む画像形成制御（画像形成装置４０１Ｂにおける記録用紙への画像形成のための制御）を行い、Ｓ２０１００へ処理を戻す。これにより、画像形成制御が終わると、次の印字についての、情報収集が開始される。
【０１４１】
Ｓ２０５００の詳細な処理内容については、後述する。
［原稿読取装置における制御フロー］
図１４は、原稿読取装置４０１Ａにおける、電源ＯＮからコピージョブが完了するまでの処理の流れを示すフローチャートである。
【０１４２】
図１４を参照して、電源ＯＮの後（Ｓ３００００）、原稿読取装置４０１Ａは、Ｓ３０１００で、以下の情報を収集する。
【０１４３】
（Ｒ１）新規原稿読取命令（制御モード、原稿読取に使用する装置の種類）
（Ｒ２）ＡＤＦ（自動原稿送り装置ＤＦ）内の用紙枚数や用紙位置情報
次に、原稿読取装置４０１Ａは、Ｓ３０２００で、コントローラー４０１Ｃから新規の原稿読取命令を受けたか否かを判断し、受けたと判断するとＳ３０３００へ、受けていないと判断するとＳ３０４００へ、それぞれ処理を進める。
【０１４４】
Ｓ３０３００では、原稿読取装置４０１Ａは、新規の原稿読取命令から、制御モードや原稿読取方法とともに、前回の原稿読取命令の制御モードと今回受信した新規原稿読取命令の制御モードとが一致するか否かの情報を読取命令登録バッファーに登録する。読取命令登録バッファーは、たとえばＲＡＭ３０４内に設定される。
【０１４５】
図１５は、Ｓ３０３００のサブルーチンのフローチャートである。図１５を参照して、Ｓ３０３００の処理内容を詳細に説明する。
【０１４６】
図１５を参照して、原稿読取装置４０１Ａは、まずＳ３０３０１で、新規の原稿読取命令から、制御モードの設定内容を取得する。そして、取得した設定内容が生産性重視モードであればＳ３０３０２へ処理を進め、残留紙低減モードであればＳ３０３０５へ処理を進める。
【０１４７】
Ｓ３０３０２では、原稿読取装置４０１Ａは、Ｓ３０３０１で取得した制御モードが前回の原稿読取命令の制御モードと同じであるか否かを判断し、同じであればＳ３０３０３へ、異なればＳ３０３０４へ、それぞれ処理を進める。
【０１４８】
Ｓ３０３０３では、原稿読取装置４０１Ａは、制御モードに応じた原稿読取命令を、前回の原稿読取命令から制御モードと同じ制御モードである旨の情報とともに登録し、図１４へ処理をリターンさせる。
【０１４９】
一方、Ｓ３０３０４では、原稿読取装置４０１Ａは、制御モードに応じた原稿読取命令を、前回の原稿読取命令とは制御モードが異なる旨の情報とともに登録し、図１４へ処理をリターンさせる。
【０１５０】
Ｓ３０３０５では、原稿読取装置４０１Ａは、Ｓ３０３０１で取得した制御モードが前回の原稿読取命令の制御モードと同じであるか否かを判断し、同じであればＳ３０３０６へ、異なればＳ３０３０７へ、それぞれ処理を進める。
【０１５１】
Ｓ３０３０６では、原稿読取装置４０１Ａは、制御モードに応じた原稿読取命令を、前回の原稿読取命令から制御モードと同じ制御モードである旨の情報とともに登録し、図１４へ処理をリターンさせる。
【０１５２】
一方、Ｓ３０３０７では、原稿読取装置４０１Ａは、制御モードに応じた原稿読取命令を、前回の原稿読取命令とは制御モードが異なる旨の情報とともに登録し、図１４へ処理をリターンさせる。
【０１５３】
図１４に戻って、Ｓ３０４００では、原稿読取装置４０１Ａは、読取命令登録バッファーに読取命令が登録されているか否かを判断し、登録されていると判断するとＳ３０５００へ処理を進め、登録されていないと判断するとＳ３０１００へ処理を戻す。
【０１５４】
Ｓ３０５００では、原稿読取装置４０１Ａは、登録されている各読取命令に対して、使用する原稿読取方法を特定する情報を取得し、ＡＤＦである場合は、制御切り替え動作と搬送制御を行い（Ｓ３０６００）、画像読取処理を行う（Ｓ３０７００）。一方、原稿読取方法が手置きである場合は、原稿読取装置４０１Ａは、直接Ｓ３０７００へ処理を進め、画像読取処理を行う。
【０１５５】
Ｓ３０５００〜Ｓ３０７００の処理は、読取命令登録バッファーに登録されている全ての印字読取命令について、行なわれる。そして、各印字読取命令に基づく画像読取処理が完了したら、原稿読取装置４０１Ａは、Ｓ３０１００へ処理を戻し、新規の原稿読取命令の有無の確認やＡＤＦ内の用紙枚数や用紙位置情報の確認を行う。
【０１５６】
Ｓ３０６００の詳細な処理内容については、後述する。
［制御切替の概要］
表１に、画像処理システム４０１における、停電予測情報に基づいて切替えられる制御の内容を概要的に示す。
【０１５７】
【表１】
2013236153.tif 000003
【０１５８】
表１では、画像処理システム４０１において切り替えられる制御の項目として、「給紙タイミング切替」「ウエイト位置切替」「搬送経路切替」「搬送速度切替」「仕上げ処理切替」「原稿読込切替」の６種類が挙げられている。
【０１５９】
表１では、切替の内容が、対象となる装置が画像形成装置４０１Ｂか原稿読取装置４０１Ａかで分けられて、記載されている。そして、上記６種類の項目のうち、「給紙タイミング切替」「ウエイト位置切替」「搬送速度切替」は、原稿読取装置４０１Ａと画像形成装置４０１Ｂの双方に関連のある項目である。「原稿読込切替」は、原稿読取装置４０１Ａにのみ関連のある制御内容である。「搬送経路切替」「仕上げ処理切替」は、画像形成装置４０１Ｂにのみ関連のある項目である。
【０１６０】
表１では、各項目についての制御内容が、「（１）−１」のように数字を用いて示されている。各数字に対応した制御内容の説明は、図３５以降を参照して後述する。
【０１６１】
また、表１では、各項目について実行される制御の内容が、停電予測情報の元となる情報が計画停電情報であるか電力使用率情報のいずれであるかによって、区別して記載されている。計画停電情報とは、たとえば、計画停電が実施が予定される時間帯を特定する情報である。電力使用率情報とは、たとえば、画像処理システム４０１に電力を供給する電力会社の、当該画像処理システム４０１が属する電力供給管轄における電力使用率である。
【０１６２】
また、表１では、切替の内容が、パラメーター値として記載されている情報ごとに分けられて、記載されている。パラメーター値とは、制御内容の決定対象となるタイミングが属する期間を特定するための値である。
【０１６３】
計画停電情報を元にして停電予測情報が生成された場合のパラメーター値は、具体的には以下の３つである。
【０１６４】
・開始時刻後
・開始時刻よりＴ時間前
・終了時刻後
「開始時刻後」は、停電期間が開始すると予測される時刻（停電開始予測時刻）以降であって終了すると予測される時刻（停電終了予測時刻）より前、つまり、停電期間中を意味する。「開始時刻よりＴ時間前」は、停電開始予測時刻より時間Ｔ前の時点以降であって停電開始予測時刻以前の期間を意味する。「終了時刻後」は、停電終了予測時刻以降の期間を意味する。
【０１６５】
時間Ｔとは後述する「特定の時間」を意味し、たとえば、画像処理システム４０１において表１中の各制御項目に関連する動作が要する最大の時間とされる。
【０１６６】
電力使用率を元にして停電予測情報が生成された場合のパラメーター値は、具体的には以下の３つである。
【０１６７】
・Ｅ％以上
・Ｅ％近傍変動
・Ｅ％未満
「Ｅ％以上」は、サーバー４０３等から提供される電力使用率が後述する基準値Ｅ％以上である期間を意味する。「Ｅ％近傍変動」は、電力使用率がＥ％を挟んで変化したタイミングを含む一定の時間（たとえば、１０秒）を意味する。たとえば一定の時間が１０秒とされた場合、上記変化があったときから３秒経過した時点で制御内容が決定されるときには、「Ｅ％近傍変動」の期間の内容に従った制御が実行される。「Ｅ％未満」とは、電力使用率が後述する基準値Ｅ％未満である期間を意味する。「Ｅ％以上」と「Ｅ％未満」に対応する制御内容は、たとえばジョブ開始前の判断に利用される。「Ｅ％近傍変動」に対応する制御内容は、たとえばジョブ実行中の判断に利用される。
【０１６８】
上記基準値を特定する情報は、たとえば、ＲＯＭ２３１またはＲＡＭ２３２に格納される。コントローラー４０１ＣのコントローラーＣＰＵ２３０は、当該情報を参照することにより、上記のように電力使用率に基づいて制御内容を決定する。
【０１６９】
さらに、表１では、制御の内容が、パラメーター値ごとに、時間帯（昼間か夜間か）に分けられて、記載されている。ただし、時間帯に関係なく制御の内容が決定されるパラメーター値については、時間帯の欄には「Ｄ／Ｃ」と記載されている。
【０１７０】
以上の次第で、表１に示されるように、本実施の形態では、計画停電情報を使用した制御モードの判定は、１）制御モードを使用する機器（画像形成装置４０１Ｂか、原稿読取装置４０１Ａか）、２）現在時刻、３）昼夜情報、４）制御切替動作の種類（上記６種類のうちのいずれか）、５）制御モード判定のタイミング（印字動作開始前か、印字動作中か）を利用してなされる。
【０１７１】
また、電力使用率を使用した制御モードの判定は、１）制御モードを使用する機器（画像形成装置４０１Ｂか、原稿読取装置４０１Ａか）、２）停電発生危険域ごとの電力使用率についての基準値、３）昼夜情報（現在時刻が昼間に属するか夜間に属するか）、４）制御切替動作の種類（上記６種類のうちのいずれか）、５）制御モードの判定のタイミング（印字動作開始前か、印字動作中か）を利用してなされる。
【０１７２】
「昼夜情報」は、たとえば、サーバー４０５等から取得される照明情報および／またはサーバー４０４から取得される日の入り／日の出時刻と、現在時刻とから判定される。
【０１７３】
照明情報を用いて判定される場合、現在時刻が、点灯時刻から消灯時刻の間である時を昼状態とされ、消灯時刻から点灯時刻の間である時を夜状態とされる。
【０１７４】
日の入り／日の出時刻を用いて判定される場合、現在時刻が日の出時刻から日の入り時刻の間である時を昼状態とされ、日の入り時刻から日の出時刻の間である時を夜状態とされる。
【０１７５】
または、昼間の時間帯と夜間の時間帯を特定するための情報が直接的に記憶されていても良い。たとえば、午前７時と午後５時という情報が記憶され、午前７時から午後５時までは昼状態、午後５時から午前７時までは夜状態と判断される。
【０１７６】
上記したような、昼状態か夜状態かを判断するための情報は、たとえば、ＲＯＭ２３１またはＲＡＭ２３２に格納されている。
【０１７７】
コントローラー４０１ＣのコントローラーＣＰＵ２３０は、当該情報を参照することにより、一日を昼間の時間帯と夜間の時間帯に分割することができる。そして、現在時刻が昼間の時間帯に属するか夜間の時間帯に属するかを決定することにより、上記のように時間帯ごとに制御内容を決定する。
【０１７８】
また、コントローラーＣＰＵ２３０は、ユーザーから当該情報の入力を、操作部２３４等を介して受け付けても良い。つまり、画像処理システム４０１は、昼状態と夜状態を区分けする時刻をユーザーが設定できるように構成されても良い。
【０１７９】
そして、各動作についての切替内容は、概略的には以下の通りである。
＜給紙タイミング切替＞
給紙タイミング切替は、原稿読取装置４０１Ａと画像形成装置４０１Ｂの共通の切替項目であり、原稿読取装置４０１Ａまたは画像形成装置４０１Ｂにおいて、或る用紙（原稿用紙または記録用紙）の搬送が開始された後の、次の用紙の用紙の搬送のタイミングについての制御項目である。
【０１８０】
生産性重視モードでは、前の用紙がタイミングローラー（原稿読取装置４０１Ａの場合は「レジストローラー」、画像形成装置４０１Ｂの場合はタイミングローラー１０）を通過し始めてから、次の用紙の給紙が開始される。
【０１８１】
残留紙低減モードでは、前の用紙が装置外へと排出され始めてから、次の用紙の給紙が開始される。「前の用紙が装置外へと排出され始める」とは、原稿読取装置４０１Ａでは原稿用紙が排紙トレイに排出され始めることを意味し、画像形成装置４０１Ｂでは記録用紙が排紙センサー８Ｂを通過し始めることを意味する。
【０１８２】
＜ウエイト位置切替＞
ウエイト位置切替は、原稿読取装置４０１Ａと画像形成装置４０１Ｂの共通の切替項目であり、前の用紙が搬送されているときに次の用紙の（搬送方向についての）先頭を待機させる位置についての制御項目である。
【０１８３】
生産性重視モードでは、タイミングローラー（原稿読取装置４０１Ａの場合は「レジストローラー」、画像形成装置４０１Ｂの場合はタイミングローラー１０）で待機される。
【０１８４】
残留紙低減モードでは、タイミングローラーでかけられるウエイトの一部が、画像形成装置４０１Ｂが給紙部でかけられ、原稿読取装置４０１Ａでは、ＣＩＳ１Ｂの清掃ウエイトが給紙部でかけられる。
【０１８５】
＜搬送経路切替＞
搬送経路切替は、画像形成装置４０１Ｂのみに関連する項目であり、記録用紙の搬送経路についての制御項目である。
【０１８６】
生産性重視モードでは、ユーザーが指定した給紙口（給紙カセット５に含まれる複数段のうちの１つ）／搬送経路で印字が行われるように搬送経路が設定される。
【０１８７】
残留紙低減モードでは、給紙口が給紙カセット５に含まれる複数段の給紙口のうちの１段目に設定され、また、記録用紙が画像形成装置４０１Ｂから排出されるまでの経路が最短になるように、搬送経路が設定される。また、印字の両面／片面の設定は、記録用紙の片面にのみ印字される「片面印字」に設定される。
【０１８８】
＜搬送速度切替＞
搬送速度切替は、原稿読取装置４０１Ａと画像形成装置４０１Ｂの共通の切替項目であり、原稿用紙または記録用紙の搬送速度についての制御項目である。
【０１８９】
生産性重視モードでは、生産性（原稿読取または画像形成の単位時間当たりの処理枚数）と、騒音（用紙の搬送等、原稿読取または画像形成によって画像処理システム４０１において発生する音量）と、それぞれの装置を構成する各部品の寿命とを考慮した、最適な搬送速度が設定される。なお、このような各条件に基づいて最適な搬送速度を設定する方法については、周知の技術を採用することができるため、ここでは詳細な説明は繰り返さない。
【０１９０】
残留紙低減モードでは、上記した騒音と各部品の寿命に関する条件を考慮することなく決定される最速の搬送速度に設定される。
【０１９１】
＜仕上げ処理切替＞
仕上げ処理切替は、画像形成装置４０１Ｂにのみ関連する項目であり、後処理装置ＦＳにおける仕上げ処理についての制御項目である。
【０１９２】
生産性重視モードでは、ステープルやパンチの使用を可能とするように設定される。これにより、ユーザー等からそのような機能を使用するジョブが登録されれば、ジョブの実行の際には、登録された通りの処理が実行される。
【０１９３】
残留紙低減モードでは、ステープルやパンチの使用が不可と設定される。これにより、ジョブでこれらの機能を使用するように設定がなされていても、ジョブの実行の際にはこれらの処理は省略される。
【０１９４】
＜原稿読込切替＞
原稿読込切替は、原稿読取装置４０１Ａにのみ関連する項目であり、原稿の読込方法（ＡＤＦまたは手置き）についての制御項目である。
【０１９５】
生産性重視モードでは、ＡＤＦと手置きの双方の原稿の読取を可能とするよう設定される。これにより、ジョブの実行の際には、ジョブにおいて登録された通りの方法で、原稿の読込が実行される。
【０１９６】
残留紙低減モードでは、ＡＤＦでの原稿の読取が不可と設定される。これにより、ジョブにおいてＡＤＦを使用するように設定がなされていても、手置きで原稿の読込が実行される。具体的には、原稿読取装置４０１Ａは、原稿の手置きを求めるようなメッセージを、液晶表示部２３４Ａに表示する。
【０１９７】
［計画停電情報に基づく制御モードの判定］
本実施の形態では、コントローラー４０１Ｃは、図７を参照して説明したように、画像処理システム４０１の制御モードを判定する（Ｓ１０２００，Ｓ１０３００，Ｓ１１２００，Ｓ１１３００）。このような判定のうち、計画停電情報に基づく判定の内容を説明する。
【０１９８】
＜画像形成装置における印字動作前の制御モード判定＞
画像形成装置４０１Ｂについての、印字動作前の制御モード判定（Ｓ１０３００）の内容について、説明する。
【０１９９】
図１６は、画像形成装置４０１Ｂにおける、「仕上げ処理切替」についての、印字処理前の制御モードの判定処理のフローチャートである。
【０２００】
図１６を参照して、計画停電情報を利用した制御モード判定を行う場合、コントローラー４０１Ｃは、まず、現在時刻が計画停電期間内か否かを判定する（Ｓ１０３０４）。この結果、計画停電期間内であると判定した場合は、制御モードを残留紙低減モードとする（Ｓ１０３０５）。
【０２０１】
一方、現在時刻が計画停電期間外であると判定した場合、コントローラー４０１Ｃは、原稿枚数と部数の情報からジョブの完了予定時刻を算出する（Ｓ１０３０６）。そして、算出した完了予定時刻が計画停電期間中に入るかどうかを比較し（Ｓ１０３０７）、計画停電期間内となる場合には制御モードを残留紙低減モードとし（Ｓ１０３０９）、計画停電期間外となる場合には生産性重視モードとする（Ｓ１０３０８）。
【０２０２】
図１７は、画像形成装置４０１Ｂにおける、「給紙タイミング切替」、「ウエイト位置切替」、「搬送経路切替」、「搬送速度切替」についての、印字処理前の制御モードの判定処理のフローチャートである。
【０２０３】
図１７を参照して、計画停電情報を利用した制御モード判定を行う場合、コントローラー４０１Ｃは、まず、現在時刻が計画停電期間中か否かを判定する（Ｓ１０３０１）。そして、計画停電期間内であると判定した場合は、制御モードを残留紙低減モードとし（Ｓ１０３０２）、計画停電期間外であると判定した場合は、制御モードを生産性重視モードとする（Ｓ１０３０３）。
【０２０４】
＜画像形成装置４０１Ｂにおける印字動作中の制御モード判定＞
画像形成装置４０１Ｂについての、印字動作中の制御モード判定（Ｓ１１３００）の内容について、説明する。
【０２０５】
図１８は、画像形成装置４０１Ｂにおける「給紙タイミング切替」「ウエイト位置切替」「搬送速度切替」「仕上げ処理切替」についての判定処理のフローチャートである。
【０２０６】
図１８を参照して、Ｓ１１３０１で、コントローラー４０１Ｃは、現在時刻が計画停電期間中か否かを判断する。そして、計画停電期間外であると判断した場合は、制御モードを生産性重視モードとする（Ｓ１１３０３）。一方、計画停電期間内であると判定した場合は、制御モードを残留紙低減モードとする（Ｓ１１３０２）。
【０２０７】
図１９は、画像形成装置４０１Ｂにおける「搬送経路切替」についての判定処理のフローチャートである。
【０２０８】
図１９を参照して、Ｓ１１３０４で、コントローラー４０１Ｃは、現在時刻が計画停電期間中か否かを判断する。そして、計画停電期間外であると判断した場合は、制御モードを生産性重視モードとし（Ｓ１１３０８）、処理を終了する。一方、計画停電期間内であると判定した場合は、Ｓ１０３０５へ処理を進める。
【０２０９】
Ｓ１１３０５では、コントローラー４０１Ｃは、前回の制御モードの判定結果を読み出し、前回の制御モードが残留紙低減モードであるならば、制御モードを残留紙低減モードと判定し（Ｓ１１３０６）、処理を終了する。
【０２１０】
一方、前回の制御モード画生産性重視モードであるならば、画像形成装置４０１Ｂへの印字指示を一時停止し、ユーザーに対して、生産性重視モードを継続した場合のリスクを液晶表示部２３４Ａに表示させ、ユーザーからのモードの選択の入力を待つ（Ｓ１１３０７，Ｓ１１３１０）。ここでいうリスクとは、たとえば、停電発生時にＪＡＭ発生時に大量の残留紙が発生することを意味する。このときの表示内容の具体例については、図３４等を参照して後述する。
【０２１１】
そして、Ｓ１１３１０では、コントローラー４０１Ｃは、ユーザーからの入力内容に従って処理を進める。生産性重視モードが選択された場合には、Ｓ１１３１３へ処理を進める。残留紙低減モードが選択された場合には、Ｓ１１３１２へ処理を進める。
【０２１２】
Ｓ１１３１３では、コントローラー４０１Ｃは、画像形成装置４０１Ｂの制御モードを生産性重視モードと判定して、Ｓ１１３１４へ処理を進める。
【０２１３】
Ｓ１１３１２では、コントローラー４０１Ｃは、画像形成装置４０１Ｂの制御モードを残留紙低減モードと判定して、Ｓ１１３１４へ処理を進める。
【０２１４】
Ｓ１１３１４では、コントローラー４０１Ｃは、Ｓ１１３１０におけるリスクの表示を解除し、処理を終了する。
【０２１５】
なお、制御モードの判定結果に応じて、ジョブにおけるユーザー設定に対して、適宜変更が加えられる。図２１は、当該変更のための処理のフローチャートである。
【０２１６】
図２１を参照して、制御モードの判定により、制御切替動作「搬送経路切替」について、残留紙低減モードと判定された場合には（Ｓ１１４０１でＹＥＳ）、ユーザー設定に対して適宜変更が加えられる。具体的には、使用する給紙口がタイミングローラーから給紙口までの距離が最短となる給紙口（たとえば、給紙カセット５の１段目）に設定され、これに合わせて、搬送経路を通過する用紙のサイズも同様に上記給紙口にセットされている用紙のサイズに設定され、さらに、両面／片面の印字設定も「片面印字」に設定される（Ｓ１１４０２）。
【０２１７】
そして、印字命令がまだ出力されていない画像データがＲＡＭ２３２に登録されている場合には（Ｓ１１４０３）、画像処理部２３５に対して当該画像データの画像処理を指示する（Ｓ１１４０４）。
【０２１８】
また、図２２は、制御切替動作が「仕上げ処理切替」であるときの、ユーザー設定を変更するための処理のフローチャートである。
【０２１９】
図２２を参照して、コントローラー４０１Ｃは、画像形成装置４０１Ｂの制御モードをチェックし（Ｓ１１４０５）、制御モードの判定結果が生産性重視モードである時は（Ｓ１１４０５でＮＯ）、ユーザーが設定した後処理設定を有効にする（Ｓ１１４０７）。一方、残留紙低減モードである場合は（Ｓ１１４０５でＹＥＳ）、ユーザーが設定した後処理設定を無効にする（Ｓ１１４０６）。つまり、ジョブの実行の際に、記録用紙に対するステープル等の後処理が省略される。
【０２２０】
以上説明したような画像形成装置４０１Ｂの制御モードに関し、計画停電情報と現在時刻を用いて判定が行われる。そして、計画停電情報と現在時刻の関係は、次の三種類に分類することができる。
【０２２１】
１）現在時刻が計画停電期間に掛かる
２）現在時刻が計画停電開始時間よりも前
３）現在時刻が計画停電期間後
＜原稿読取装置における読込動作前の制御モード判定＞
図２３は、原稿読取装置４０１Ａにおける、印字のための画像読込動作の前での、制御モードの判定のための処理のフローチャートである。なお、図２３には、制御項目「原稿読込切替」についての処理のフローチャートが示されている。
【０２２２】
図２３を参照して、計画停電情報を利用した制御モード判定を行う場合、コントローラー４０１Ｃは、まず、現在時刻が計画停電期間内か否かを判定する（Ｓ１０２０４）。この結果、計画停電期間内であると判定した場合は、制御モードを残留紙低減モードとする（Ｓ１０２０５）。
【０２２３】
一方、現在時刻が計画停電期間外であると判定した場合、コントローラー４０１Ｃは、原稿枚数に基づいて、すべての原稿用紙の画像の読込のために要する時間を算出し、そこから、読込が完了する予定時刻を算出する（Ｓ１０２０６）。そして、算出した完了予定時刻が計画停電期間外となるかどうかを判断し（Ｓ１０２０７）、計画停電期間外となる場合には制御モードを生産性重視モードとし（Ｓ１０２０８）、計画停電期間内となる場合には、Ｓ１０２０９へ処理を進める。
【０２２４】
Ｓ１０２０９では、コントローラー４０１Ｃは、現在の時刻が昼間に属するか夜間に属するかを判断する。そして、昼間に属すると判断すると、Ｓ１０２０８で制御モードを生産性重視モードに設定して、処理を終了する。夜間に属すると判断すると、Ｓ１０２１０で制御モードを残留紙低減モードに設定して、処理を終了する。
【０２２５】
以上、図２３を参照して説明したように、原稿読取装置４０１Ａの制御モードの決定の際、制御項目が「原稿読込切替」である場合、昼間であれば、ジョブの実行（原稿の搬送）が停電予定期間内であっても、制御モードが生産性重視モードに設定される。これは、昼間であれ、視界が明るいと想定されるため、仮にジョブの実行中に停電が発生しても、用紙の取出しが容易であると考えられるからである。一方、夜間であれば、視界が暗いと想定されるため、また、そのまま翌朝まで長時間放置されることが想定されるため、残留紙低減モードに設定される。
【０２２６】
なお、夜間であれば、原稿枚数が不明の場合、停電開始予定時刻より特定の時間前以降に登録されたジョブであれば、残留紙低減モードに設定されてもよい。特定の時間とは、原稿読取装置４０１Ａにおいて原稿トレイにセットできる最大枚数の原稿の読込に要する時間である。このような方法によれば、原稿トレイにセットできる枚数の原稿に係るジョブであればいかなるジョブであっても、残留紙低減モードに設定される。原稿読取装置４０１Ａにおいて、夜間のジョブ実行中に停電が発生し、原稿読取装置４０１Ａ内に原稿が残留することを極力回避するためである。
【０２２７】
図２４は、原稿読取装置４０１Ａにおける、印字のための画像読込動作の前での、制御項目「給紙タイミング切替」「ウエイト位置切替」「搬送速度切替」についての、制御モードの判定のための処理のフローチャートである。
【０２２８】
図２４を参照して、コントローラー４０１Ｃは、まず、現在時刻が計画停電期間中か否かを判定する（Ｓ１０２０１）。そして、計画停電期間内であると判定した場合は、制御モードを残留紙低減モードとし（Ｓ１０２０２）、計画停電期間外であると判定した場合は、制御モードを生産性重視モードとする（Ｓ１０２０３）。
【０２２９】
＜原稿読取装置における読込動作中の制御モード判定＞
図２５は、原稿読取装置４０１Ａにおける、画像読込動作中の、制御モードの判定のための処理のフローチャートである。なお、図２５には、制御項目「原稿読込切替」についての処理のフローチャートが示されている。
【０２３０】
図２５を参照して、計画停電情報を利用した制御モード判定を行う場合、コントローラー４０１Ｃは、まず、現在時刻が計画停電期間内か否かを判定する（Ｓ１１２０４）。この結果、計画停電期間内であると判定した場合は、制御モードを残留紙低減モードとする（Ｓ１１２０５）。
【０２３１】
一方、現在時刻が計画停電期間外であると判定した場合、コントローラー４０１Ｃは、原稿枚数に基づいて、すべての原稿用紙の画像の読込のために要する時間を算出し、そこから、読込が完了する予定時刻を算出する（Ｓ１１２０６）。そして、算出した完了予定時刻が計画停電期間外となるかどうかを判断し（Ｓ１１２０７）、計画停電期間外となる場合には制御モードを生産性重視モードとし（Ｓ１１２０８）、計画停電期間内となる場合には、Ｓ１１２０９へ処理を進める。
【０２３２】
Ｓ１１２０９では、コントローラー４０１Ｃは、現在の時刻が昼間に属するか夜間に属するかを判断する。１日の中の昼間の時間帯と夜間の時間帯を決定するための情報は、たとえばＲＯＭ２３１に格納されている。そして、昼間に属すると判断すると、Ｓ１１２０８で制御モードを生産性重視モードに設定して、処理を終了する。夜間に属すると判断すると、Ｓ１１２１０で制御モードを残留紙低減モードに設定して、処理を終了する。
【０２３３】
以上、図２５を参照して説明した処理においても、図２３を参照して説明した処理と同様に、視界が明るいと考えられる昼間であれば極力生産性重視モードに設定され、視界が暗いまたはジョブ終了後も画像処理システム４０１が翌朝まで放置される可能性が高いと想定される夜間であれば、極力残留紙低減モードに設定される。
【０２３４】
また、夜間であれば、原稿枚数が不明の場合も、上記と同様に、停電開始予定時刻より特定の時間前以降に登録されたジョブであれば、残留紙低減モードに設定される場合がある。
【０２３５】
図２６は、原稿読取装置４０１Ａにおける、画像読込動作中の、制御項目「給紙タイミング切替」「ウエイト位置切替」「搬送速度切替」についての、制御モードの判定のための処理のフローチャートである。
【０２３６】
図２６を参照して、コントローラー４０１Ｃは、まず、現在時刻が計画停電期間中か否かを判定する（Ｓ１１２０１）。そして、計画停電期間内であると判定した場合は、制御モードを残留紙低減モードとし（Ｓ１１２０２）、計画停電期間外であると判定した場合は、制御モードを生産性重視モードとする（Ｓ１１２０３）。
【０２３７】
［電力使用率に基づく制御モードの判定］
次に、図７を参照して説明したような画像処理システム４０１の制御モードの判定のうち、電力使用率に基づく判定の内容を説明する。
【０２３８】
なお、本実施の形態では、使用される電力使用率情報を用いて制御モードを判定する際、使用する基準値は“９５％”とする。これは、東海電力株式会社が公開している、”大規模電源が故障した際に電力の安定供給に支障を来す可能性がある”としている数値が供給量に対して９５％以上であることに由来している。なお、基準値の具体的な数値は、電力供給元によって異なる。また、ユーザーによって適宜設定されても良い。
【０２３９】
＜画像形成装置における印字動作前の制御モードの判定＞
図２７は、画像形成装置４０１Ｂにおける印字動作（画像形成動作）開始前に、当該装置の制御モードを判定するための処理のフローチャートである。
【０２４０】
図２７を参照して、コントローラー４０１Ｃは、まず、Ｓ１０３１０において、（サーバー４０３等から取得した）現在の電力使用率が基準値である９５％以上であるか否かを判断する。そして、基準値以上であれば、Ｓ１０３１１で、制御モードを残留紙低減モードに設定して、処理を終了する。一方、基準値未満であれば、Ｓ１０３１２へ処理を進める。
【０２４１】
Ｓ１０３１２では、コントローラー４０１Ｃは、現在の制御モードが生産性重視モードかどうかを確認し、そうであれば、Ｓ１０３１３で、制御モードを生産性重視モードに設定して、処理を終了する。現在の制御モードが残留紙低減モードであれば、Ｓ１０３１１で、制御モードを残留紙低減モードに設定して、処理を終了する。
【０２４２】
＜画像形成装置における印字動作中の制御モードの判定＞
図２８は、画像形成装置４０１Ｂにおける印字動作中（画像形成動作中）に、項目「給紙タイミング切替」「ウエイト位置切替」「搬送経路切替」「搬送速度切替」について、当該装置の制御モードを判定するための処理のフローチャートである。
【０２４３】
図２８を参照して、コントローラー４０１Ｃは、Ｓ１１３１５において、（サーバー４０３等から取得した）現在の電力使用率が基準値である９５％以上であるか否かを判断する。そして、基準値以上であれば、Ｓ１０３１６で、制御モードを残留紙低減モードに設定して、処理を終了する。一方、基準値未満であれば、Ｓ１０３１７へ処理を進める。
【０２４４】
Ｓ１０３１７では、コントローラー４０１Ｃは、現在の制御モードが生産性重視モードかどうかを確認し、そうであれば、Ｓ１０３１８で、制御モードを生産性重視モードに設定して、処理を終了する。現在の制御モードが残留紙低減モードであれば、Ｓ１０３１６で、制御モードを残留紙低減モードに設定して、処理を終了する。
【０２４５】
図２９は、画像形成装置４０１Ｂにおける印字動作中（画像形成動作中）に、項目「仕上げ切替」について、当該装置の制御モードを判定するための処理のフローチャートである。
【０２４６】
図２９を参照して、コントローラー４０１Ｃは、Ｓ１１３１９で、（サーバー４０３等から取得した）現在の電力使用率が基準値である９５％以上であるか否かを判断する。そして、基準値以上であれば、Ｓ１０３２０へ処理を進める。一方、基準値未満であれば、Ｓ１０３２２へ処理を進める。
【０２４７】
Ｓ１０３２０では、コントローラー４０１Ｃは、現在の制御モードが生産性重視モードかどうかを確認し、そうであればＳ１０３２４へ処理を進め、残留紙低減モードであればＳ１１３２１へ処理を進める。
【０２４８】
Ｓ１０３２２では、コントローラー４０１Ｃは、現在の制御モードが生産性重視モードかどうかを確認し、そうであればＳ１０３２３へ処理を進め、残留紙低減モードであればＳ１１３２４へ処理を進める。
【０２４９】
Ｓ１０３２１では、コントローラー４０１Ｃは、制御モードを現在のまま維持して、つまり、残留紙低減モードに設定して、処理を終了する。
【０２５０】
一方、Ｓ１０３２３では、コントローラー４０１Ｃは、制御モードを現在のまま維持して、つまり、生産性重視モードに設定して、処理を終了する。
【０２５１】
Ｓ１０３２４では、コントローラー４０１Ｃは、ユーザーへの通知フラグをＯＮして、Ｓ１１３０９（図２０参照）へ処理を進める。
【０２５２】
図２０を参照して、Ｓ１１３０９では、コントローラー４０１Ｃは、Ｓ１０３２４で通知フラグがＯＮされていることを条件に、Ｓ１１３１０へ処理を進める。
【０２５３】
Ｓ１１３１０では、コントローラー４０１Ｃは、リスクおよび制御モードを選択する入力の要求を液晶表示部２４３Ａに表示して、Ｓ１１３１１へ処理を進める。ここでのリスクとは、たとえば、後処理中に停電が発生した場合、パンチ刃やステープル針が用紙に刺さったまま抜けなくなる事態を指す。ここで表示される画面の具体例は、図３４等を参照して後述する。
【０２５４】
Ｓ１１３１１で、コントローラー４０１Ｃは、選択内容に従って処理を進める。生産性重視モードが選択された場合には、Ｓ１１３１３へ処理を進める。残留紙低減モードが選択された場合には、Ｓ１１３１２へ処理を進める。
【０２５５】
Ｓ１１３１３では、コントローラー４０１Ｃは、画像形成装置４０１Ｂの制御モードを生産性重視モードと判定して、Ｓ１１３１４へ処理を進める。
【０２５６】
Ｓ１１３１２では、コントローラー４０１Ｃは、画像形成装置４０１Ｂの制御モードを残留紙低減モードと判定して、Ｓ１１３１４へ処理を進める。
【０２５７】
Ｓ１１３１４では、コントローラー４０１Ｃは、Ｓ１１３１０におけるリスクの表示を解除し、処理を終了する。
【０２５８】
＜原稿読取装置における印字動作前の制御モードの判定＞
図３０は、原稿読取装置４０１Ａにおける印字動作（原稿読取動作）開始前に、当該装置の制御モードを判定するための処理のフローチャートである。
【０２５９】
図３０を参照して、コントローラー４０１Ｃは、Ｓ１０２１１で、（サーバー４０３等から取得した）現在の電力使用率が基準値である９５％以上であるか否かを判断する。そして、基準値以上であれば、Ｓ１０２１２へ処理を進める。一方、基準値未満であれば、Ｓ１０２１４へ処理を進める。
【０２６０】
Ｓ１０２１２では、コントローラー４０１Ｃは、現在の制御モードが生産性重視モードかどうかを確認し、そうであればＳ１０２１６へ処理を進め、残留紙低減モードであれば、Ｓ１０２１３で制御モードを残留紙低減モードに設定して、処理を終了する。
【０２６１】
Ｓ１０２１４では、コントローラー４０１Ｃは、現在の制御モードが生産性重視モードかどうかを確認し、そうであれば、Ｓ１０２１５で制御モードを生産性重視モードに設定して、処理を終了する。一方、残留紙低減モードであれば、Ｓ１０２１６へ処理を進める。
【０２６２】
Ｓ１０２１６では、コントローラー４０１Ｃは、現在時刻が昼間に属するか夜間に属するかを判断し、昼間であればＳ１０２１５へ、夜間であればＳ１０２１３へ、それぞれ処理を進める。
【０２６３】
コントローラー４０１Ｃは、Ｓ１０２１５では制御モードを生産性重視モードに設定し、Ｓ１０２１３では制御モードを残留紙低減モードに設定して、処理を終了する。
【０２６４】
＜原稿読取装置における印字動作中の制御モードの判定＞
図３１は、原稿読取装置４０１Ａにおける印字動作中（原稿読取動作中）に、項目「給紙タイミング切替」「ウエイト位置切替」「搬送経路切替」「搬送速度切替」について、当該装置の制御モードを判定するための処理のフローチャートである。
【０２６５】
図３１に記載された処理によれば、図３０に記載された処理と同様に、制御モードが設定される。
【０２６６】
つまり、現在の電力使用率が基準値以上である場合、現在の制御モードが残留紙低減モードであれば、そのまま設定が継続される。現在の制御モードが生産性重視モードであれば、現在時刻が昼間であることを条件に、設定が継続される。夜間であれば、制御モードは残留紙低減モードに設定される（Ｓ１１２１１〜Ｓ１１２１３，Ｓ１１２１６）。
【０２６７】
一方、現在の電力使用率が基準値未満である場合、現在の制御モードが生産性重視モードであれば、そのまま設定が継続される。現在の制御モードが残留紙低減モードであれば、現在時刻が昼間であることを条件に、制御モードは生産性重視モードに設定される。夜間であれば、制御モードは残留紙低減モードに設定される（Ｓ１１２１１，Ｓ１１２１４〜Ｓ１１２１６）。
【０２６８】
図３２および図３３は、原稿読取装置４０１Ａにおける印字動作中（原稿読取動作中）に、項目「原稿読込切替」について、当該装置の制御モードを判定するための処理のフローチャートである。
【０２６９】
まず図３２を参照して、コントローラー４０１Ｃは、Ｓ１１２１７で、（サーバー４０３等から取得した）現在の電力使用率が基準値である９５％以上であるか否かを判断する。そして、基準値以上であれば、Ｓ１１２１８へ処理を進める。一方、基準値未満であれば、Ｓ１１２２０へ処理を進める。
【０２７０】
Ｓ１１２１８では、コントローラー４０１Ｃは、現在の制御モードが生産性重視モードかどうかを確認し、そうであればＳ１１２２４へ処理を進め、残留紙低減モードであればＳ１１２１９へ処理を進める。
【０２７１】
Ｓ１１２２０では、コントローラー４０１Ｃは、現在の制御モードが生産性重視モードかどうかを確認し、そうであればＳ１１２２１へ処理を進め、残留紙低減モードであればＳ１１２２２へ処理を進める。
【０２７２】
Ｓ１１２２１では、コントローラー４０１Ｃは、制御モードを現在のまま維持して、つまり、生産性重視モードに設定して、処理を終了する。
【０２７３】
一方、Ｓ１１２２２では、コントローラー４０１Ｃは、現在時刻が昼間に属するか夜間に属するかを判断し、昼間に属すると判断するとＳ１１２２４へ処理を進め、夜間に属すると判断するとＳ１１２２３へ処理を進める。
【０２７４】
Ｓ１１２２３では、コントローラー４０１Ｃは、制御モードを残留紙低減モードに設定して、処理を終了する。
【０２７５】
Ｓ１１２２４では、コントローラー４０１Ｃは、ユーザーへの通知フラグをＯＮして、Ｓ１１２２５へ処理を進める。
【０２７６】
図３３を参照して、Ｓ１１２２５では、コントローラー４０１Ｃは、Ｓ１１２２４で通知フラグがＯＮされていることを条件に、Ｓ１１２２６へ処理を進める。
【０２７７】
Ｓ１１２２６では、コントローラー４０１Ｃは、リスクおよび制御モードを選択する入力の要求を液晶表示部２４３Ａに表示して、Ｓ１１２２７へ処理を進める。ここで表示される画面の具体例は、図３４等を参照して後述する。
【０２７８】
Ｓ１１２２７で、コントローラー４０１Ｃは、選択内容に従って処理を進める。生産性重視モードが選択された場合には、Ｓ１１２２９へ処理を進める。残留紙低減モードが選択された場合には、Ｓ１１２２８へ処理を進める。
【０２７９】
Ｓ１１２２９では、コントローラー４０１Ｃは、原稿読取装置４０１Ａの制御モードを生産性重視モードと判定して、Ｓ１１２３０へ処理を進める。
【０２８０】
Ｓ１１２２８では、コントローラー４０１Ｃは、原稿読取装置４０１Ａの制御モードを残留紙低減モードと判定して、Ｓ１１２３０へ処理を進める。
【０２８１】
Ｓ１１２３０では、コントローラー４０１Ｃは、Ｓ１１２２６におけるリスクの表示を解除し、処理を終了する。
【０２８２】
＜電力使用率に基づく制御モードの判定のまとめ＞
以上説明したように電力使用率情報と基準値（たとえば、９５％）を用いて画像形成装置４０１Ｂ（後処理装置ＦＳを含む）の制御モードが判定される際、計画停電情報と現在時刻の関係は、次の（７）〜（９）の三種類に分類することができる。
【０２８３】
（７）電力使用率が基準値９５％以上
（８）電力使用率が基準値９５％未満から９５％以上と変化し、また、９５％以上から９５％未満へと変化する（基準値近傍で変動する）
（９）電力使用率が基準値９５％未満
そして、ここでの（７）〜（９）は、表１中での制御内容を示す冒頭の（７）〜（９）のそれぞれに対応している。
【０２８４】
［リスクの表示の具体例］
図３４は、制御モードの判定におけるリスクの表示を含む表示画面の具体例を示す。
【０２８５】
図３４（Ａ）には、計画停電情報に基づいて画像形成装置４０１Ｂの制御モードが設定される場合のリスクの表示画面の一例が示されている。
【０２８６】
図３４（Ａ）の画面５００には、停電が発生した場合に画像形成装置４０１Ｂ内に大量の記録用紙が残留する危険性があることを報知するメッセージとともに、制御モードを生産性重視モードに設定するためのボタン５０１と残留紙低減モードに設定するためのボタン５０２が表示されている。ユーザーは、ボタン５０１とボタン５０２のボタンのいずれかを操作することにより、制御モードの設定内容を入力する。
【０２８７】
図３４（Ｂ）には、電力使用率に基づいて画像形成装置４０１Ｂの制御モードが設定される場合のリスクの表示画面の一例が示されている。
【０２８８】
図３４（Ｂ）の画面５１０には、停電が発生した場合に後処理装置ＦＳにおいて折処理に利用されるパンチ刃が用紙に刺さり抜けなくなる危険性があることを報知するメッセージとともに、制御モードを生産性重視モードに設定するためのボタン５１１と残留紙低減モードに設定するためのボタン５１２が表示されている。ユーザーは、ボタン５１１とボタン５１２のボタンのいずれかを操作することにより、制御モードの設定内容を入力うする。
【０２８９】
［計画停電情報に基づく画像形成装置の制御内容の具体例］
以下に、表１を参照して概略的に説明された制御内容のうち、計画停電情報に基づいて停電予測情報が生成される場合の、画像形成装置４０１Ｂの制御内容の具体例について説明する。
【０２９０】
≪現在時刻が計画停電の予定期間に属する場合≫
表１中のパラメーター値「開始時刻後」は、現在時刻が計画停電が予定されている期間に属する場合を意味する。表１では、画像形成装置４０１Ｂについてのこの期間の制御内容が「（１）」を付されて示され、そして、項目ごとに枝番号（「−１」等）を付されて示されている。以下、画像形成装置４０１Ｂのこの期間の制御内容を、表１中の制御内容を表す数字とともに、説明する。
【０２９１】
なお、本実施の形態では、画像形成装置４０１Ｂの制御モードは、ジョブの完了の予測時刻が停電が予測される期間に属するか否かによって、判断される。なお、「給紙タイミング切替」「ウエイト位置切替」「搬送経路切替」「搬送速度切替」の各項目については、ジョブが開始されてからジョブ内で画像形成されたすべての記録用紙が画像形成装置４０１Ｂから排出されるまでの期間が上記期間に属するか否かによって判断される。項目「仕上げ処理切替」については、ジョブ内で画像形成された後の記録用紙が後処理装置ＦＳに搬入され始めてから最後の記録用紙が後処理装置ＦＳから排出されるまでの期間が停電が予測される期間に属するか否かによって、判断される。
【０２９２】
＜（１）−１：給紙タイミング切替＞
図３５および図３６は、画像形成装置４０１Ｂにおいて実行される、項目「給紙タイミング切替」の制御のための処理のフローチャートである。
【０２９３】
給紙タイミング切替による搬送制御では、最初に、現在チェックしている印字命令において印字する用紙の給紙が完了しているかどうかを確認する（Ｓ２０４０１）。本処理は、コントローラー４０１Ｃから発行された印字命令を受信したときに実行される。そして、「現在チェックしている印字命令」とは、新規に受信した印字命令を意味する。
【０２９４】
Ｓ２０４０１において未給紙である場合、前回の印字命令と制御モードに差異があるかどうかを確認する（Ｓ２０４０２）。一致する場合、印字命令の中で指定されている給紙段から記録用紙を給紙し（Ｓ２０４０３）、一致しない場合は、前回の印字命令の対象となった記録用紙が排出されたことが確認された後に給紙される（Ｓ２０４０４，Ｓ２０４０３）。
【０２９５】
その後、現在チェックしている印字命令の用紙の給紙状態に関わらず、現在チェックしている印字命令の制御モードが確認される（Ｓ２０４０５）。
【０２９６】
ここでは、コントローラー４０１Ｃから制御モードが残留紙低減モードと通知されている場合について説明する。この場合、続いて、現在チェックしている記録用紙の排出を開始したかどうかが確認される（Ｓ２０４０７）。そして、排出されている場合は、次用紙給紙可能状態を”許可”として、コントローラー４０１Ｃに次用紙給紙許可が通知される（Ｓ２０４１０）。一方、まだ排紙が開始していない場合には、次用紙給紙許可状態を”不可”とする（Ｓ２０４０９）。その後、印字命令に登録されている片面／両面印字情報を基に用紙の搬送制御が行われ（Ｓ２０４１１）、現在チェックしている印字命令の用紙の排紙が完了したかどうかが確認される（Ｓ２０４１２）。排紙が完了している場合、コントローラー４０１Ｃに印字完了情報が通知され（Ｓ２０４１４）、画像形成装置４０１Ｂにおける本印字命令を削除する（Ｓ２０４１５）。
【０２９７】
なお、印字命令で指定される制御モードが生産性重視モードである場合には、現在チェックしている記録用紙の先頭がタイミングローラー１０の検出位置を通過したことを条件に、コントローラー４０１Ｃに次用紙給紙許可が通知される（Ｓ２０４０８）。
【０２９８】
＜（１）−２：ウエイト位置切替＞
図３７および図３８は、画像形成装置４０１Ｂにおいて実行される、項目「ウエイト位置切替」の制御のための処理のフローチャートである。
【０２９９】
ウエイト位置切替による搬送制御では、最初に、現在チェックしている印字命令の制御モードが確認され（Ｓ２０４１６）、現在チェックしている印字命令の用紙のウエイト位置が決定される（Ｓ２０４１７，Ｓ２０４１８）。本制御が属する期間では、コントローラー４０１Ｃから指定される制御モードは、残留紙低減モードである。したがって、ウエイト位置が給紙口部とされる（Ｓ２０４１８）。
【０３００】
続いて、現在チェックしている印字命令の用紙が給紙されているかどうかが確認され（Ｓ２０４１９）、未給紙である場合にはさらに、定着温度に到達しているかどうかが確認される（Ｓ２０４２１）。ここで目標温度に到達していると判定された場合には、印字命令の中で指定されている給紙段から給紙がなされ、目標温度に到達していない場合は、目標温度に到達してから給紙がなされる（Ｓ２０４２２）。
【０３０１】
続いて、現在チェックしている印字命令の給紙状態に関わらず、ポリゴンの安定回転待ちやカラーモノクロ切替処理のウエイトといった、印字処理に必要なウエイトが完了したかどうかが確認される（Ｓ２０４２３）。印字処理に必要なウエイトが完了している場合、現在チェックしている印字命令の用紙でスキュー補正が完了したかどうかを確認し（Ｓ２０４２４）、完了している場合はタイミングローラーに対して駆動指示が出され、用紙が搬送される（Ｓ２０４２５）。
【０３０２】
その後、用紙の搬送状態や給紙状態に関わらず、現在チェックしている用紙の排出を開始したかどうかが確認され（Ｓ２０４２６）、排出されている場合は、コントローラー４０１Ｃに次用紙給紙許可が通知される（Ｓ２０４２８）。一方、まだ排紙が開始していない場合には、次用紙給紙許可状態が”不可”とされる。
【０３０３】
続いて、次用紙給紙の許可状態に関わらず、印字命令に登録されている片面／両面印字情報を基にして用紙の搬送制御が行われ（Ｓ２０４２９）、その後、現在チェックしている印字命令の用紙の排紙が完了したかどうかが確認される（Ｓ２０４３０）。排紙が完了している場合、コントローラー４０１Ｃに、印字完了情報が通知され（Ｓ２０４３２）、画像形成装置４０１Ｂにおける本印字命令の登録情報を削除する（Ｓ２０４３３）。
【０３０４】
＜（１）−３：搬送経路切替＞
図３９は、画像形成装置４０１Ｂにおいて実行される、項目「搬送経路切替」の制御のための処理のフローチャートである。
【０３０５】
搬送経路切替による搬送制御では、最初に、現在チェックしている印字命令において印字する用紙の給紙が完了しているかどうかが確認される（Ｓ２０４３４）。ここで未給紙である場合、印字命令の中で指定されている給紙段から給紙が行われる（Ｓ２０４３５）。
【０３０６】
続いて、現在チェックしている用紙の排出を開始したかどうかが確認され（Ｓ２０４３６）、排出されている場合は、コントローラー４０１Ｃに次用紙給紙許可が通知される（Ｓ２０４３８）。一方、まだ排紙が開始していない場合には、次用紙給紙許可状態が”不可”とされる（Ｓ２０４３７）。
【０３０７】
その後、印字命令に登録されている片面／両面印字情報に基づいた用紙の搬送制御がなされ（Ｓ２０４３９）、現在チェックしている印字命令の用紙の排紙が完了したかどうかが確認される（Ｓ２０４４０）。排紙が完了している場合、コントローラー４０１Ｃに、印字完了情報が通知され（Ｓ２０４４２）、画像形成装置４０１Ｂにおける本印字命令についての登録情報を削除する（Ｓ２０４４３）。
【０３０８】
＜（１）−４：搬送速度切替＞
図４０〜図４３は、画像形成装置４０１Ｂにおいて実行される、項目「搬送速度切替」の制御のための処理のフローチャートである。
【０３０９】
搬送速度切替による搬送制御では、最初に、現在チェックしている印字命令において搬送速度の切替が必要かどうかが確認される（Ｓ２０４４４）。ここでは、前回の印字命令の制御モードと今回チェックしている印字命令の制御モードが比較され、一致しない場合は、搬送速度の切替が必要と判定される。また、現在チェックしている印字命令において前回の印字命令が存在しない（印字の先頭ページであった）場合は、搬送速度の切替は不要である、と判定される。
【０３１０】
搬送速度の切替が必要だと判定された場合、続いて、現在チェックしている印字命令の用紙の給紙が完了したかどうかが確認される（図４２のＳ２０４５５）。未給紙である場合は、機内の搬送速度を切替えるために、現用紙と異なる速度で搬送されている前回の印字命令の用紙の排紙が完了を待つ（Ｓ２０４５６）。前回の印字命令の排紙が完了した場合、現在チェックしている印字命令の制御モードが確認される（Ｓ２０４５７）。
【０３１１】
本処理が実行される場合、コントローラー４０１Ｃから指定される制御モードは残留紙低減モードである。したがって、その後、搬送速度が残留紙低減モードの速度（たとえば、１５０ｍｍ／ｓ）に切替えられる（Ｓ２０４５９）。その後、搬送速度の切替が完了したかどうかが確認され（Ｓ２０４６０）、搬送速度の切替が完了している場合には、印字命令の中で指定されている給紙段から給紙が行われる（Ｓ２０４６１）。
【０３１２】
一方、搬送速度の切替が不要であると判定された場合、現在チェックしている印字命令の用紙の給紙が完了したかどうかが確認される（Ｓ２０４４５）。未給紙であった場合、印字命令の中で指定されている給紙段から給紙が行われる（Ｓ２０４４６）。
【０３１３】
そして、用紙の給紙状態や搬送速度の切替状態に関わらず、現在チェックしている用紙の排出が開始されたかどうかが確認され（Ｓ２０４４７）、開始されている場合は、コントローラー４０１Ｃに次用紙給紙許可が通知される（Ｓ２０４４９）。一方、まだ排紙が開始していない場合には、次用紙給紙許可状態が”不可”とされる（Ｓ２０４４８）。
【０３１４】
続いて、次用紙給紙の許可の状態に関わらず、印字命令に登録されている片面／両面印字情報を基にして用紙の搬送制御が行われ（Ｓ２０４５０）、そして、現在チェックしている印字命令の用紙の排紙が完了したかどうかが確認される（図４１のＳ２０４５１）。排紙が完了している場合、コントローラー４０１Ｃに、印字完了情報が通知され（Ｓ２０４５３）、画像形成装置４０１Ｂにおける本印字命令についての登録情報を削除する（Ｓ２０４５４）。
【０３１５】
一方、Ｓ２０４６１の後、図４３に示されるように、現在チェックしている用紙の排出が開始されたかどうかが確認され（Ｓ２０４６２）、開始されている場合は、コントローラー４０１Ｃに次用紙給紙許可が通知される（Ｓ２０４６４）。一方、まだ排紙が開始していない場合には、次用紙給紙許可状態が”不可”とされる（Ｓ２０４６３）。
【０３１６】
続いて、次用紙給紙の許可の状態に関わらず、印字命令に登録されている片面／両面印字情報を基にして用紙の搬送制御が行われ（Ｓ２０４６５）、現在チェックしている印字命令の用紙の排紙が完了したかどうかが確認される（Ｓ２０４６６）。排紙が完了している場合、コントローラー４０１Ｃに、印字完了情報が通知され（Ｓ２０４６８）、画像形成装置４０１Ｂにおける本印字命令についての登録情報を削除する（Ｓ２０４６９）。
【０３１７】
＜（１）−５：仕上げ処理切替＞
図４４および図４５は、画像形成装置４０１Ｂにおいて実行される、項目「仕上げ処理切替」の制御のための処理のフローチャートである。
【０３１８】
仕上げ処理切替の制御では、最初に、現在チェックしている印字命令において印字する用紙の給紙が完了しているかどうかが確認される（Ｓ２０４７０）。ここで未給紙である場合、印字命令の中で指定されている給紙段から用紙が給紙される（Ｓ２０４７１）。
【０３１９】
続いて、給紙状態に関わらず現在チェックしている用紙がタイミングローラーを通過したかどうかが確認され（Ｓ２０４７２）、通過している場合は、コントローラー４０１Ｃに、次用紙給紙許可が通知される（Ｓ２０４７４）。一方、まだ排紙が開始されていない場合には、次用紙給紙許可状態が”不可”とされる（Ｓ２０４７３）。その後、印字命令に登録されている片面／両面印字情報を基に用紙の搬送制御が実行される（Ｓ２０４７５）。
【０３２０】
その後、現在チェックしている印字命令が、部（原稿に対応する１セット分のコピー）の区切りである場合、搬送制御によって部の最後の用紙が排出されたかどうかが確認される（Ｓ２０４７６）。排出されている場合、現在チェックしている印字命令が後処理の必要なものであるかどうかがチェックされる（Ｓ２０４７７）。後処理が必要である場合、設定されている後処理に従って後処理制御が行われ（Ｓ２０４７９）、必要でない場合は、画像形成後の記録用紙が後処理されることなく排紙トレイへ排出される（Ｓ２０４７８）。
【０３２１】
その後、現在チェックしている印字命令の用紙の排紙が完了したかどうかが確認され（Ｓ２０４８０）、排紙が完了している場合は、コントローラー４０１Ｃに、印字完了情報が通知され（Ｓ２０４８２）、画像形成装置４０１Ｂにおける本印字命令についての登録情報を削除する（Ｓ２０４８３）。
【０３２２】
≪現在時刻が計画停電の予定期間より前の期間に属する場合≫
計画停電情報と比較された結果、現在時刻が計画停電時期より前である場合の制御内容を、以下に説明する。この期間は、表１中のパラメーター値「開始時刻よりＴ時間前」に対応する。表１では、画像形成装置４０１Ｂについてのこの期間の制御内容が「（２）」を付されて示され、そして、項目ごとに枝番号（「−１」等）を付されて示されている。以下、画像形成装置４０１Ｂのこの期間の制御内容を、表１中の制御内容を表す数字とともに、説明する。なお、表１中の時間Ｔは、上記したような特定の時間である。「Ｔ時間前」か否かは、ジョブの指示が入力されたときを基準に判断される。
【０３２３】
＜（２）−１：給紙タイミング切替＞
給紙タイミング切替の処理は、図３５および図３６に示されたフローチャートに従って実行される。
【０３２４】
（２）−１では、上記した（１）−１と同様に、Ｓ２０４０１〜Ｓ２０４０５の処理が実行される。
【０３２５】
（２）−１が対応する期間では、コントローラー４０１Ｃから送信される印字命令における制御モードは、生産性重視モードである。したがって、（１）−１ではＳ２０４０５からＳ２０４０７へと処理が進められていたところ（図３６参照）、（２）−１では、Ｓ２０４０５からＳ２０４０６へ処理が進められる。
【０３２６】
そして、現在チェックしている記録用紙の先頭がタイミングローラー１０の検出位置を通過したことを条件に、コントローラー４０１Ｃに次用紙給紙許可が通知される（Ｓ２０４０８）。
【０３２７】
その後、印字命令に登録されている片面／両面印字情報を基に用紙の搬送制御が行われ（Ｓ２０４１１）、現在チェックしている印字命令の用紙の排紙が完了したかどうかが確認される（Ｓ２０４１２）。排紙が完了している場合、コントローラー４０１Ｃに印字完了情報が通知され（Ｓ２０４１４）、画像形成装置４０１Ｂにおける本印字命令についての登録情報を削除する（Ｓ２０４１５）。
【０３２８】
＜（２）−２：ウエイト位置切替＞
ウエイト位置切替の処理は、図３７および図３８に示されたフローチャートに従って実行される。
【０３２９】
（２）−２が対応する期間では、コントローラー４０１Ｃから送信される印字命令における制御モードは、生産性重視モードである。したがって、（１）−２ではＳ２０４１８でウエイト位置が給紙口部とされていたところ（図３７参照）、（２）−２では、Ｓ２０４１７で、ウェイト位置がタイミングローラー１０とされる。
【０３３０】
そして、現在チェックしている印字命令の用紙が給紙されているかどうかが確認され（Ｓ２０４２０）、未給紙である場合にはさらに、給紙がなされる（Ｓ２０４２２）。
【０３３１】
そして、Ｓ２０４２３以降は、上記した（１）−２と同様の処理が実行される。本明細書では、重複した説明は繰り返さない。
【０３３２】
＜（２）−３：搬送経路切替＞
給紙タイミング切替の処理は、図３９に示されたフローチャートに従って実行される。
【０３３３】
（２）−３の処理内容は、上記した（１）−３における処理内容と同じであるため、説明は繰り返さない。
【０３３４】
＜（２）−４：搬送速度切替＞
搬送速度切替の処理は、図４０〜図４３に示されたフローチャートに従って実行される。
【０３３５】
（２）−４が対応する期間では、コントローラー４０１Ｃから送信される印字命令における制御モードは、生産性重視モードである。これにより、Ｓ２０４５７（図４２参照）からＳ２０４５８へ処理が進められる。したがって、（１）−４ではＳ２０４５９で搬送速度が１５０ｍｍ／ｓとされていたところ、（２）−４では、Ｓ２０４５８で、上記搬送速度よりも遅い搬送速度が１００ｍｍ／ｓに設定される。
【０３３６】
これ以外の処理については（１）−４と同様であるため、説明は繰り返さない。
＜（２）−５：仕上げ処理切替＞
仕上げ処理切替の処理は、図４４および図４５に示されたフローチャートに従って実行される。
【０３３７】
（２）−５では、上記した（１）−５と同様の処理が実行されるため、説明は繰り返さない。
【０３３８】
≪現在時刻が計画停電の予定期間後に属する場合≫
表１中のパラメーター値「終了時刻後」は、現在時刻が計画停電が予定されている期間より後に属する場合を意味する。表１では、画像形成装置４０１Ｂについてのこの期間の制御内容が「（３）」を付されて示され、そして、項目ごとに枝番号（「−１」等）を付されて示されている。以下、画像形成装置４０１Ｂのこの期間の制御内容を、表１中の制御内容を表す数字とともに、説明する。
【０３３９】
＜（３）−１：給紙タイミング切替＞
給紙タイミング切替の処理は、図３５および図３６に示されたフローチャートに従って実行される。（３）−１では、上記した（２）−１と同様の処理が実行されるため、重複した説明は繰り返さない。
【０３４０】
＜（３）−２：ウエイト位置切替＞
ウエイト位置切替の処理は、図３７および図３８に示されたフローチャートに従って実行される。（３）−２では、上記した（２）−２と同様の処理が実行されるため、重複した説明は繰り返さない。
【０３４１】
＜（３）−３：搬送経路切替＞
給紙タイミング切替の処理は、図３９に示されたフローチャートに従って実行される。（３）−３では、上記した（２）−３と同様の処理が実行されるため、重複した説明は繰り返さない。
【０３４２】
＜（３）−４：搬送速度切替＞
搬送速度切替の処理は、図４０〜図４３に示されたフローチャートに従って実行される。（３）−４では、上記した（２）−４と同様の処理が実行されるため、重複した説明は繰り返さない。
【０３４３】
＜（３）−５：仕上げ処理切替＞
仕上げ処理切替の処理は、図４４および図４５に示されたフローチャートに従って実行される。（３）−５では、上記した（２）−５と同様の処理が実行されるため、重複した説明は繰り返さない。
【０３４４】
［計画停電情報に基づく原稿読取装置の制御内容の具体例］
以下に、表１を参照して概略的に説明された制御内容のうち、計画停電情報に基づいて停電予測情報が生成される場合の、原稿読取装置４０１Ａの制御内容の具体例について説明する。
【０３４５】
なお、原稿読取装置４０１Ａの制御内容は、表１に示されるように、４つの時間帯に分けられて決定された。そして、表１では、「現在時刻が計画停電期間に属する」場合の制御内容は、冒頭に「（４）」を付されて記載されている。また、「現在時刻が計画停電開始時間よりも前で、昼夜情報が昼」である場合の制御内容は、冒頭に「（５）−Ｄ」を付されて記載されている。また、「現在時刻が計画停電開始時間よりも前で、昼夜情報が夜」である場合の制御内容は、冒頭に「（５）−Ｎ」を付されて記載されている。また、「現在時刻が計画停電期間後」である場合の制御内容は、冒頭に「（６）」を付されて記載されている。
【０３４６】
以降の説明においても、同様の記載が採用される。さらに、項目ごとに枝番号（「−１」等）を付されて、制御内容が説明される。
【０３４７】
≪現在時刻が計画停電の予定期間に属する場合≫
＜（４）−１：給紙タイミング切替＞
図４６および図４７は、原稿読取装置４０１Ａにおいて実行される、項目「給紙タイミング切替」の制御のための処理のフローチャートである。
【０３４８】
給紙タイミング切替による搬送制御では、最初に、現在チェックしている読取命令において読取をする原稿の給紙が完了しているかどうかが確認される（Ｓ３０６０１）。本処理は、コントローラー４０１Ｃから発行された印字読取命令を受信したときに実行される。そして、「現在チェックしている読取命令」とは、新規に受信した印字読取命令を意味する。
【０３４９】
ここで未給紙である場合、前回の印字命令と制御モードに差異があるかどうかが確認される（Ｓ３０６０２）。前回の読取命令の制御モードと今回チェックしている読取命令の制御モードが一致する場合は、原稿用紙が給紙され（Ｓ３０６０３）、一致しない場合は、前回の印字命令の用紙が排出されたことが確認されてから給紙が行われる（Ｓ３０６０４，Ｓ３０６０３）。
【０３５０】
その後、現在チェックしている読取命令の原稿の給紙状態に関わらず、現在チェックしている読取命令の制御モードが確認される（Ｓ３０６０５）。
【０３５１】
（４）−１の場合、コントローラー４０１Ｃからの印字読取命令で指定される制御モードは残留紙低減モードである。このため、Ｓ３０６０７へ処理が進められ、現在チェックしている原稿の排出を開始したかどうかが確認される。そして、排出が開始されている場合は、コントローラー４０１Ｃに、印字読取完了が通知される（Ｓ３０６１０）。一方、まだ排紙が開始されていない場合には、印字読取完了情報が”不可”とされる（Ｓ３０６１２）。
【０３５２】
その後、用紙の搬送制御が行われ（Ｓ３０６１３）、現在チェックしている読取命令の原稿の排紙が完了したかどうかが確認される（Ｓ３０６１４）。そして、排紙が完了している場合、読取登録情報が削除される（Ｓ３０６１５）。
【０３５３】
＜（４）−２：ウエイト位置切替＞
図４８および図４９は、原稿読取装置４０１Ａにおいて実行される、項目「ウエイト位置切替」の制御のための処理のフローチャートである。
【０３５４】
ウエイト位置切替による搬送制御では、最初に、現在チェックしている読取命令の制御モードが確認され（Ｓ３０６１６）、現在チェックしている読取命令の用紙のウエイト位置が決定される。（４）−２の場合、コントローラー４０１Ｃからの印字読取命令で指定される制御モードは残留紙低減モードである。したがって、Ｓ３０６１８で、ウエイト位置が給紙口と決定される。
【０３５５】
そして、現在チェックしている読取命令の原稿用紙の給紙が完了しているかどうかが確認され（Ｓ３０６１９）、未給紙である場合には、さらに、ＣＩＳ清掃ローラー１ＣによるＣＩＳ１Ｂの清掃待ちであるかどうかが確認される（Ｓ３０６２１）。そして、清掃待ちでなければ、読取命令の中で指定されている給紙段から給紙が行われ（Ｓ３０６２２）、清掃待ちであれば、清掃が完了するのを待って給紙が行われる（Ｓ３０６２２）。
【０３５６】
次に、現在チェックしている読取命令の給紙状態に関わらず、読取処理に必要なウエイトが完了したかどうかが確認される（Ｓ３０６２３）。読取処理に必要なウエイトが完了している場合、現在チェックしている読取命令の用紙でスキュー補正が完了したかどうかが確認され（Ｓ３０６２４）、完了している場合はレジストローラーに対して駆動指示が出され、用紙を搬送する（Ｓ３０６２５）。
【０３５７】
その後、画像が読取られた後の原稿用紙の搬送制御が行われた後（Ｓ３０６２９）、現在チェックしている読取命令の原稿の排紙が完了したか否かが確認される（Ｓ３０６３０）。排紙が完了している場合、コントローラー４０１Ｃに印字読取完了が通知され（Ｓ３０６３２）、本読取登録情報が削除される（Ｓ３０６３３）。
【０３５８】
＜（４）−４：搬送速度切替＞
表１から理解されるように、原稿読取装置４０１Ａの制御は、画像形成装置４０１Ｂについて枝番「−３」が付されて説明された項目「搬送経路切替」を含まない。したがって、（４）−３はスキップされ、（４）−４の制御内容を説明する。
【０３５９】
図５０〜図５３は、原稿読取装置４０１Ａにおいて実行される、項目「ウエイト位置切替」の制御のための処理のフローチャートである。
【０３６０】
搬送速度切替による搬送制御では、最初に、現在チェックしている読取命令において搬送速度の切替が必要かどうかが判断される（Ｓ２０４４４）。ここでの判断では、前回の読取命令の制御モードと今回チェックしている読取命令の制御モードが比較され、一致しない場合は、搬送速度の切替が必要と判断される。また、現在チェックしている読取命令の前に読取命令が存在しない場合（原稿の先頭ページの読取であった場合）は、搬送速度の切替は不要であると判断される。
【０３６１】
搬送速度の切替が必要だと判定された場合、続いて、現在チェックしている読取命令の原稿の給紙が完了したかどうかが確認される（図５２のＳ３０６４５）。
【０３６２】
未給紙である場合は、機内の搬送速度を切替えるために、今回給紙しようとしている原稿と異なる速度で搬送されている、前回の読取命令の原稿の排紙が完了するのを待つ（Ｓ３０６４６）。前回の読取命令の原稿の排紙が完了した場合、現在チェックしている読取命令の制御モードが確認され（Ｓ３０６４７）、搬送速度が切替えられる。（４）−２の場合、コントローラー４０１Ｃからの印字読取命令で指定される制御モードは残留紙低減モードである。したがって、Ｓ３０３０６４９で、搬送速度が４５０ｍｍ／ｓに切り替えられる。
【０３６３】
一方、図５０のＳ３０６３４において搬送速度の切替が必要でないと判定された場合、現在チェックしている読取命令の原稿が給紙されたかどうかが確認され（Ｓ３０６３５）、未給紙であった場合は給紙する（Ｓ３０６３６）。
【０３６４】
次に、現在チェックしている原稿の読取が完了したかどうかが確認され（Ｓ３０６３７）、読取が完了している場合は、コントローラー４０１Ｃに印字読取完了が通知される（Ｓ３０６３９）。一方、まだ読取が完了していない場合には、印字読取完了情報が”不可”とされる（Ｓ３０６３８）。
【０３６５】
続いて、現在チェックしている読取命令の原稿の排紙が完了したかどうかが確認される（図５１のＳ３０６４１）。排紙が完了している場合、本読取登録情報が削除される（Ｓ３０６４２）。
【０３６６】
一方、Ｓ３０６５１での給紙の後、図５３に示されるように、現在チェックしている読取指示に係る原稿用紙の画像の読取が完了したかどうかが確認され（Ｓ３０６５２）、完了している場合は、コントローラー４０１Ｃに印字読取完了が通知される（Ｓ３０６５４）。一方、まだ画像の読取が完了していない場合には、印字読取完了状態が”不可”とされる（Ｓ３０６５３）。
【０３６７】
続いて、原稿用紙の搬送制御が行われ（Ｓ３０６５５）、現在チェックしている読取命令に係る原稿用紙の排出が完了したかどうかが確認される（Ｓ３０６５６）。排出が完了している場合、画像形成装置４０１Ｂにおける本読取命令についての登録情報が削除される（Ｓ３０６５７）。
【０３６８】
＜（４）−６：原稿読込処理切替＞
表１から理解されるように、原稿読取装置４０１Ａの制御は、画像形成装置４０１Ｂについて枝番「−５」が付されて説明された項目「仕上げ処理切替」を含まない。したがって、（４）−５はスキップされ、（４）−６について説明する。
【０３６９】
ここで、（４）−６の場合、コントローラー４０１Ｃからの印字読取命令で指定される制御モードは残留紙低減モードである。このことから、ＡＤＦの利用が禁止される。つまり、手置きでのみ、原稿が読取られる。
【０３７０】
したがって、ここでは原稿読込処理の切替の制御は不要であるため、説明を省略する。
≪現在時刻が計画停電の予定期間より前に属し、昼夜情報が昼である場合≫
＜（５）−Ｄ１：給紙タイミング切替＞
図４６および図４７には、原稿読取装置４０１Ａにおいて実行される、項目「給紙タイミング切替」の制御のための処理のフローチャートが記載されている。
【０３７１】
（５）−Ｄ１では、コントローラー４０１Ｃから受信する読取命令において設定されている制御モードは、生産性重視モードである。
【０３７２】
したがって、（４）−１においてＳ３０６０５からＳ３０６０７に処理が進められたところ、（５）−Ｄ１では、Ｓ３０６０５からＳ３０６０６へ処理が進められる。
【０３７３】
Ｓ３０６０６では、現在チェックしている原稿の読取が完了したかどうかが確認される。完了している場合には、コントローラー４０１Ｃに印字読取完了が通知される（Ｓ３０６０８）。一方、まだ完了していない場合には、印字読取完了情報が”不可”とされる（Ｓ３０６１２）。
【０３７４】
その後、用紙の搬送制御が行われ（Ｓ３０６１３）、現在チェックしている読取命令の原稿の排紙が完了したかどうかが確認される（Ｓ３０６１４）。完了している場合、本読取登録情報が削除される（Ｓ３０６１５）。
【０３７５】
＜（５）−Ｄ２：ウエイト位置切替＞
図４８および図４９には、原稿読取装置４０１Ａにおいて実行される、項目「ウエイト位置切替」の制御のための処理のフローチャートが記載されている。
【０３７６】
（５）−Ｄ２では、コントローラー４０１Ｃから受信する読取命令において設定されている制御モードは、生産性重視モードである。
【０３７７】
したがって、（４）−２においてＳ３０６１６からＳ３０６１８に処理が進められたところ、（５）−Ｄ２では、Ｓ３０６１６からＳ３０６１７へ処理が進められる。
【０３７８】
Ｓ３０６１７では、ウエイト位置がレジストローラーに設定される。
続いて、現在チェックしている読取命令の原稿が給紙されているかどうかが確認され（Ｓ３０６２０）、未給紙であれば、給紙が行われる（Ｓ３０６２２）。
【０３７９】
そして、（４）−２について説明されたように、Ｓ３０６２３以降の処理が実行される。
【０３８０】
＜（５）−Ｄ４：搬送速度切替＞
図５０〜図５３には、原稿読取装置４０１Ａにおいて実行される、項目「ウエイト位置切替」の制御のための処理のフローチャートが示されている。
【０３８１】
（５）−Ｄ４では、コントローラー４０１Ｃから受信する読取命令において設定されている制御モードは、生産性重視モードである。
【０３８２】
したがって、（４）−４ではＳ３０６４９で原稿用紙の搬送速度が４５０ｍｍ／ｓと設定されていたところ、（５）−Ｄ４では、Ｓ３０６４８で、原稿用紙の搬送速度が、それよりも若干速度が低い３００ｍｍ／ｓに設定される。
【０３８３】
（５）−Ｄ４におけるそれ以外の処理内容については、（４）−４における処理内容と同様であるため、ここでは説明を繰り返さない。
【０３８４】
＜（５）−Ｄ６：原稿読込処理切替＞
図５４は、原稿読取装置４０１Ａにおいて実行される、項目「原稿読込処理切替」の制御のための処理のフローチャートである。
【０３８５】
原稿読込処理切替による搬送制御では、最初に、現在チェックしている読取命令において読取をする原稿の給紙が完了しているかどうかが確認される。ここで未給紙である場合、前回の読取命令と制御モードに差異があるかどうかが確認される（Ｓ３０６５８）。（５）−Ｄ６では、制御モードが生産性重視モードであるため、前回の読取命令の用紙が排出されたことが確認されてから給紙が行われる（Ｓ３０６５９）。
【０３８６】
その後、現在チェックしている読取命令の原稿の給紙状態に関わらず、現在チェックしている読取命令の制御モードが確認される（図示略）。なお、（５）−Ｄ６では、コントローラー４０１Ｃから受信する読取命令において設定されている制御モードは、生産性重視モードである。
【０３８７】
続いて、現在チェックしている原稿の読取が完了したかどうかが確認される（Ｓ３０６６０）。完了している場合には、コントローラー４０１Ｃに印字読取完了が通知される。一方、読取が完了していない場合には、印字読取完了情報が”不可”とされる（Ｓ３０６６１）。
【０３８８】
その後、用紙の搬送制御が行われ（Ｓ３０６６３）、現在チェックしている読取命令の原稿の排紙が完了したかどうかが確認される（Ｓ３０６６４）。完了している場合、本読取登録情報が削除される（Ｓ３０６６５）。
【０３８９】
≪現在時刻が計画停電の予定期間より前に属し、昼夜情報が夜である場合≫
＜（５）−Ｎ１，Ｎ２，Ｎ４，Ｎ６＞
この場合にコントローラー４０１Ｃから受信する読取命令において設定されている制御モードは、基本的に生産性重視モードである。したがって、この場合の各項目の制御内容、つまり、（５）−Ｎ１，Ｎ２，Ｎ４，Ｎ６の各処理内容は、基本的には、上記された（５）−Ｄ１，Ｄ２，Ｄ４，Ｄ６のそれぞれの処理内容と同様である。したがって、各処理についての重複した説明は行なわない。
【０３９０】
ただし、（５）−Ｎ６の制御モードの判断態様が、（５）−Ｄ６の制御モードの判断態様に対して変更される。
【０３９１】
具体的には、項目「原稿読取切替」については、各原稿用紙の制御モードの判断が、全原稿についての読込の終了予定時刻に基づいて、制御モードが決定される。そして、読込の完了が計画停電後となる場合には、項目「原稿読取切替」についての制御モードが残留紙低減モードとされる。
【０３９２】
また、項目「原稿読取切替」については、原稿枚数が入力されていないなどして原稿の読込完了時間が算出できない場合には、自動原稿読取装置の最大積載量を原稿枚数（たとえば、１００枚）として、制御モードが決定される。
【０３９３】
このようにして制御モードが決定されることにより、項目「原稿読取切替」についての制御モードが残留紙低減モードとされた場合には、（５）−Ｎ６の制御内容は、上記した（４）−６の制御内容と同様とされる。
【０３９４】
≪現在時刻が計画停電の予定期間より後に属する場合≫
＜（６）−１，２，４，６＞
この場合にコントローラー４０１Ｃから受信する読取命令において設定されている制御モードは、生産性重視モードである。したがって、この場合の各項目の制御内容、つまり、（６）−１，２，４，６の各処理内容は、上記された（５）−Ｄ１，Ｄ２，Ｄ４，Ｄ６のそれぞれの処理内容と同様である。したがって、各処理についての重複した説明は行なわない。
【０３９５】
［電力使用率に基づく画像形成装置の制御内容の具体例］
以下に、図２７〜図３３を参照して説明した、電力使用率に基づいて制御モードが決定された場合の画像形成装置４０１Ｂの制御内容について、説明する。なお、以下の説明では、表１において制御内容を表す数字が用いられる。
【０３９６】
≪（７）−１〜５：電力使用率が基準値以上である場合≫
電力使用率が基準値以上である場合、コントローラー４０１Ｃから発行される印字命令における制御モードは、残留紙低減モードである。
【０３９７】
したがって、（７）−１〜（７）−５のそれぞれの制御内容は、制御モードが残留紙低減モードである場合の制御内容となる。したがって、これらの制御内容は、それぞれ、（１）−１〜（１）−５と同様とすることができる。このため、制御内容についての重複した説明は行なわない。
【０３９８】
≪（８）−１〜５：電力使用率が基準値近傍で変動する場合≫
電力使用率が基準値近傍で変動する場合、コントローラー４０１Ｃから発行される印字命令における制御モードは、残留紙低減モードである。
【０３９９】
したがって、（８）−１〜（８）−５のそれぞれの制御内容は、制御モードが残留紙低減モードである場合の制御内容となる。したがって、これらの制御内容は、それぞれ、（１）−１〜（１）−５と同様とすることができる。このため、制御内容についての重複した説明は行なわない。
【０４００】
≪（９）−１〜５：電力使用率が基準値未満の場合≫
電力使用率が基準値未満である場合、コントローラー４０１Ｃから発行される印字命令における制御モードは、生産性重視モードである。
【０４０１】
したがって、（９）−１〜（９）−５のそれぞれの制御内容は、制御モードが生産性重視モードである場合の制御内容となる。したがって、これらの制御内容は、それぞれ、（３）−１〜（３）−５と同様とすることができる。このため、制御内容についての重複した説明は行なわない。
【０４０２】
［電力使用率に基づく原稿読取装置の制御内容の具体例］
以下に、図２７〜図３３を参照して説明した、電力使用率に基づいて制御モードが決定された場合の原稿読取装置４０１Ａの制御内容について、説明する。なお、以下の説明では、表１において制御内容を表す数字が用いられる。
【０４０３】
≪電力使用率が基準値以上であって、昼夜情報が昼である場合≫
＜（１０）−Ｄ１，Ｄ２，Ｄ４＞
上記したように、電力使用率に基づいて制御モードが決定される場合、項目「給紙タイミング切替」「ウエイト位置切替」「搬送速度切替」については、電力使用率が基準値以上であり昼間であれば、制御モードが生産性重視モードとされた。
【０４０４】
このことから、（１０）−Ｄ１，（１０）−Ｄ２，（１０）−Ｄ４のそれぞれの制御内容は、生産性重視モードの制御内容、つまり、上記した（５）−Ｄ１，（５）−Ｄ２，（５）−Ｄ４のそれぞれと同様とすることができる。このため、制御内容の詳細な説明は繰り返さない。
【０４０５】
＜（１０）−Ｄ６＞
上記したように、電力使用率に基づいて制御モードが決定される場合、項目「給紙タイミング切替」「ウエイト位置切替」「搬送速度切替」については、電力使用率が基準値以上であり昼間であれば、制御モードが残留紙低減モードとされた。
【０４０６】
このことから、（１０）−Ｄ６の制御内容は、残留紙低減モードの制御内容、つまり、上記した（４）−６と同様とすることができる。このため、制御内容の詳細な説明は繰り返さない。
【０４０７】
≪電力使用率が基準値以上であって、昼夜情報が夜である場合≫
＜（１０）−Ｎ１，Ｎ２，Ｎ４，Ｎ６＞
電力使用率に基づいて制御モードが決定される場合、（１０）−Ｎ１，（１０）−Ｎ２，（１０）−Ｎ４，（１０）−Ｎ６のいずれの制御内容も、残留紙低減モードに従って実行される。
【０４０８】
このことから、（１０）−Ｎ１，（１０）−Ｎ２，（１０）−Ｎ４，（１０）−Ｎ６のそれぞれの制御内容は、残留紙低減モードの制御内容、つまり、上記した（４）−１，（４）−２，（４）−４，（４）−６のそれぞれと同様とすることができる。このため、制御内容の詳細な説明は繰り返さない。
【０４０９】
≪電力使用率が基準値近傍で変化するであって、昼夜情報が昼である場合≫
この場合、昼夜情報が夜である場合と比較して、停電によって原稿が原稿読取装置４０１Ａ内にとどまってしまった場合でも、原稿を傷めずに取り出す作業が行われやすいと考えられる。このことから、制御モードが生産性重視モードとされる。
【０４１０】
ただし、項目「原稿読込切替」については、原稿読取途中である時に限り、ユーザーが選択した制御モードが採用される。これは、項目「原稿読込切替」について、制御モードが残留紙低減モードとされた場合には、ＡＤＦの使用そのものが禁止されるからである。
【０４１１】
以下、各制御内容について、説明する。
＜（１１）−Ｄ１，Ｄ２，Ｄ４＞
（１１）−Ｄ１，（１１）−Ｄ２，（１１）−Ｄ４のそれぞれの制御内容は、生産性重視モードの制御内容、つまり、上記した（５）−Ｄ１，（５）−Ｄ２，（５）−Ｄ４のそれぞれと同様とすることができる。このため、制御内容の詳細な説明は繰り返さない。
【０４１２】
＜（１１）−Ｄ６＞
上記したように、項目「原稿読込切替」は、ユーザーに対しリスクが通知されるとともに、ユーザーからのモードの選択が受け付けられる。
【０４１３】
残留紙低減モードが選択されれば、（１１）−Ｄ６の制御内容は、（４）−Ｄ６と同様とされる。生産性重視モードが選択されれば、（１１）−Ｄ６の制御内容は、（５）−Ｄ６と同様とされる。制御内容の詳細な説明は繰り返さない。
【０４１４】
≪電力使用率が基準値近傍で変化するであって、昼夜情報が夜である場合≫
この場合、昼夜情報が夜であることから、停電によって原稿が原稿読取装置４０１Ａ内にとどまってしまった場合に、原稿を傷めずに取り出すことが困難であると考えられる。このことから、制御モードが残留紙低減モードと設定される。ただし、項目「原稿読込切替」については、現在の電力使用率が基準値を下回っており、原稿読取途中である時に限り、ユーザーが選択した制御モードが採用される。
【０４１５】
＜（１１）−Ｎ１，Ｎ２，Ｎ４＞
（１１）−Ｎ１，（１１）−Ｎ２，（１１）−Ｎ４のそれぞれの制御内容は、残留紙低減モードの制御内容、つまり、上記した（４）−１，（４）−２，（４）−４のそれぞれと同様とすることができる。このため、制御内容の詳細な説明は繰り返さない。
【０４１６】
＜（１１）−Ｄ６＞
上記したように、項目「原稿読込切替」についての（１１）−Ｎ６の制御内容は、基本的には、残留紙低減モードに従ったものとされる。
【０４１７】
ただし、上記したような場合には、ユーザーに対しリスクが通知されるとともに、ユーザーからのモードの選択が受け付けられる。
【０４１８】
残留紙低減モードが選択されれば、（１１）−Ｎ６の制御内容は、（４）−Ｄ６と同様とされる。生産性重視モードが選択されれば、（１１）−Ｎ６の制御内容は、（５）−Ｄ６と同様とされる。
【０４１９】
制御内容の詳細な説明は繰り返さない。
≪（１２）−１，２，４，６：電力使用率が基準値未満である場合≫
この場合、電力使用率が基準値を下回るため、停電発生の可能性が低い。このため、制御モードとして生産性重視モードが設定される。
【０４２０】
このため、（１２）−１，（１２）−２，（１２）−４，（１２）−６のそれぞれの制御内容は、（５）−Ｄ１，（５）−Ｄ２，（５）−Ｄ４，（５）−Ｄ６のそれぞれと同様とすることができる。
【０４２１】
制御内容の詳細な説明は繰り返さない。
［その他の変形例等］
以上説明した実施の形態では、各制御切替動作が一つの制御内容によって構成されたが、複数の制御内容によって構成されても良い。そして、１つの制御切替動作を構成する複数の制御内容のそれぞれが、表１に示されたようなパラメーター値や時間帯などの条件に応じて決定されても良い。
【０４２２】
また、画像形成装置４０１Ｂでは、定着温度（定着ローラー２１３またはその近傍の温度）が目標温度に到達したことを条件として給紙が開始されている。なお、給紙を開始する条件として、ポリゴンの回転が安定したことや、カラー／モノクロ切替の準備が完了したこと等、印字生産性を高める目的でタイミングローラーでかけているウエイト（待ち）の条件が採用されてもよい。
【０４２３】
本実施の形態によれば、停電発生予定時刻や電力使用率が分かっている場合、これらの情報のいずれかに基づいて、印字生産性を重視するモード（生産性重視モード：第１のモード）、または、残留紙の発生を抑制するモード（残留紙低減モード：第２のモード）とで、切替て、制御が行われる。
【０４２４】
これにより、停電が発生する可能性が低い時間帯においては、印字の生産性を重視させ、ユーザーの利便性を確保することができる。また、停電が発生する可能性が高い時間帯においては、印字制御において特定の制限をかけることで、停電時に発生する残留紙（原稿読取装置４０１Ａまたは画像形成装置４０１Ｂ内に残留する用紙）の数を低減することができ、これにより、装置の復旧時（電力供給が再開された時、等）において、残留紙の除去のためにユーザーが必要とされる手間の軽減を図ることができる。
【０４２５】
また、本実施の形態では、１枚の原稿用紙の原稿の読取や、１枚の記録用紙に対する画像の形成について、その処理ごとに、停電が予測される期間に属するか否かが判断され、制御モードが設定され、その処理内容が決定されたが、「仕上げ処理切替」については、ジョブごとに、対応する処理が停電が予測される期間に属するか否かに基づいて制御モードが設定される場合がある。さらに、当該「仕上げ処理切替」については、ジョブの対象となる記録用紙の枚数が不明である場合には、制御モードが一律に残留紙低減モードに設定されて、制御が行われても良い。記録用紙が後処理装置ＦＳにおいて残留し、それを取り除くためにユーザーに多大な負担が必要とされる事態を、より確実に回避するためである。
【０４２６】
以上説明した本実施の形態では、上記したように、画像処理システム４０１は、本発明に係る画像処理装置の一実施の形態である。また、画像処理システム４０１は、その機能として、原稿読取装置４０１Ａと、画像形成装置４０１Ｂと、これらの動作を制御するコントローラー４０１Ｃとを含む。したがって、画像処理装置たる画像処理システム４０１は、原稿読取装置として機能する場合もあれば、画像形成装置として機能する場合もあれば、これら両方として機能する場合もある。
【０４２７】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態および各変形例において説明された発明は、可能な限り、単独でも、組合わせても、実施することが意図される。
【符号の説明】
【０４２８】
２００  エンジンＣＰＵ、２３０  コントローラーＣＰＵ、３００  読取装置ＣＰＵ、４０１  画像処理システム、４０１Ａ  原稿読取装置、４０１Ｂ  画像形成装置、４０１Ｃ、４０２  ルーター、４０３  電力使用率管理サーバー、４０４  日の出日の入り情報管理サーバー、４０５  照明情報管理サーバー、４０６  照明管理装置、４０７  照明器具。
【図１】
2013236153.tif 000004
【図２】
2013236153.tif 000005
【図３】
2013236153.tif 000006
【図４】
2013236153.tif 000007
【図５】
2013236153.tif 000008
【図６】
2013236153.tif 000009
【図７】
2013236153.tif 000010
【図８】
2013236153.tif 000011
【図９】
2013236153.tif 000012
【図１０】
2013236153.tif 000013
【図１１】
2013236153.tif 000014
【図１２】
2013236153.tif 000015
【図１３】
2013236153.tif 000016
【図１４】
2013236153.tif 000017
【図１５】
2013236153.tif 000018
【図１６】
2013236153.tif 000019
【図１７】
2013236153.tif 000020
【図１８】
2013236153.tif 000021
【図１９】
2013236153.tif 000022
【図２０】
2013236153.tif 000023
【図２１】
2013236153.tif 000024
【図２２】
2013236153.tif 000025
【図２３】
2013236153.tif 000026
【図２４】
2013236153.tif 000027
【図２５】
2013236153.tif 000028
【図２６】
2013236153.tif 000029
【図２７】
2013236153.tif 000030
【図２８】
2013236153.tif 000031
【図２９】
2013236153.tif 000032
【図３０】
2013236153.tif 000033
【図３１】
2013236153.tif 000034
【図３２】
2013236153.tif 000035
【図３３】
2013236153.tif 000036
【図３４】
2013236153.tif 000037
【図３５】
2013236153.tif 000038
【図３６】
2013236153.tif 000039
【図３７】
2013236153.tif 000040
【図３８】
2013236153.tif 000041
【図３９】
2013236153.tif 000042
【図４０】
2013236153.tif 000043
【図４１】
2013236153.tif 000044
【図４２】
2013236153.tif 000045
【図４３】
2013236153.tif 000046
【図４４】
2013236153.tif 000047
【図４５】
2013236153.tif 000048
【図４６】
2013236153.tif 000049
【図４７】
2013236153.tif 000050
【図４８】
2013236153.tif 000051
【図４９】
2013236153.tif 000052
【図５０】
2013236153.tif 000053
【図５１】
2013236153.tif 000054
【図５２】
2013236153.tif 000055
【図５３】
2013236153.tif 000056
【図５４】
2013236153.tif 000057